(57)【特許請求の範囲】
【請求項１】
無線通信プロトコルに従う送信用の物理層データユニット（ＰＨＹデータユニット）を生成する方法であって、前記無線通信プロトコルは、第１ＰＨＹモードと第２ＰＨＹモードとを有し、前記方法は、
第１クロックレートに従って前記ＰＨＹデータユニットの第１プリアンブル部を生成する段階であって、前記第１プリアンブル部は、レガシ部および高効率ＷＬＡＮ信号（ＨＥＷ−ＳＩＧＡ）フィールドを含み、前記レガシ部は、レガシ・ショート・トレーニング・フィールド（Ｌ−ＳＴＦ）、レガシ・ロング・トレーニング・フィールド（Ｌ−ＬＴＦ）、およびレガシ信号（Ｌ−ＳＩＧ）フィールドを含み、前記第１プリアンブル部は、前記ＰＨＹデータユニットの第２プリアンブル部およびデータ部が第１クロックレートおよび前記第１クロックレートより低い第２クロックレートのいずれでクロックされるかを示すようにフォーマットされる、段階と、
前記ＰＨＹデータユニットの前記第２プリアンブル部および前記データ部を生成する段階であって、前記第２プリアンブル部および前記データ部は、前記第１プリアンブル部に続き、前記第２プリアンブル部は、１つ又は複数の高効率ＷＬＡＮロング・トレーニング・フィールド（ＨＥＷ−ＬＴＦ）を含み、前記第２プリアンブル部および前記データ部は、前記ＰＨＹデータユニットが前記第１ＰＨＹモードに従って送信される場合に、前記第１クロックレートでクロックされ、前記ＰＨＹデータユニットが前記第２ＰＨＹモードに従って送信される場合に、前記第１クロックレートより低い前記第２クロックレートでクロックされる、段階と
を備える
方法。
【請求項２】
前記第１プリアンブル部を生成する段階は、前記ＰＨＹデータユニットが前記第１ＰＨＹモード又は前記第２ＰＨＹモードに従って生成されるかを示す前記第１プリアンブル部におけるパイロットトーンのセットを生成する段階を含む、請求項１に記載の方法。
【請求項３】
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、請求項２に記載の方法。
【請求項４】
前記第１プリアンブル部を生成する段階は、前記ＰＨＹデータユニットが前記第１ＰＨＹモード又は前記第２ＰＨＹモードに従って生成されるかを示す情報を含むフィールドを有する前記第１プリアンブル部を生成する段階を含む、請求項１から３の何れか一項に記載の方法。
【請求項５】
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、請求項４に記載の方法。
【請求項６】
前記第２クロックレートは、前記第１クロックレートの分数である、請求項１から５のいずれか一項に記載の方法。
【請求項７】
前記第２クロックレートは、前記第１クロックレートの１／２、１／４、１／１０、または１／１６である、請求項６に記載の方法。
【請求項８】
前記第２プリアンブル部および前記データ部が生成され、これにより、前記ＰＨＹデータユニットが前記第１ＰＨＹモードに従って送信される場合に、前記第２プリアンブル部および前記データ部における複数のＯＦＤＭシンボルが第１持続時間を有し、前記ＰＨＹデータユニットが前記第２ＰＨＹモードに従って送信される場合に、前記第２プリアンブル部および前記データ部における複数のＯＦＤＭシンボルが第２持続時間を有し、前記第２持続時間は、前記第１持続時間と異なる、請求項１から７の何れか一項に記載の方法。
【請求項９】
前記第２持続時間は、前記第１持続時間より長い、請求項８に記載の方法。
【請求項１０】
前記第２プリアンブル部および前記データ部が生成され、これにより、前記ＰＨＹデータユニットが前記第１ＰＨＹモードに従って送信される場合に、前記第２プリアンブル部および前記データ部における複数のＯＦＤＭシンボルが第１トーンインターバルを有し、前記ＰＨＹデータユニットが前記第２ＰＨＹモードに従って送信される場合に、前記第２プリアンブル部および前記データ部における複数のＯＦＤＭシンボルが第２トーンインターバルを有し、前記第２トーンインターバルは、前記第１トーンインターバルと異なる、請求項１から９の何れか一項に記載の方法。
【請求項１１】
前記第２トーンインターバルは、前記第１トーンインターバルより小さい、請求項１０に記載の方法。
【請求項１２】
１つ又は複数の集積回路を有するネットワークインタフェースを備える通信デバイスであって、
前記１つ又は複数の集積回路は、
第１クロックレートに従って、第１ＰＨＹモードと第２ＰＨＹモードとを有する無線通信プロトコルに従う送信用の物理層データユニット（ＰＨＹデータユニット）の第１プリアンブル部を生成し、
前記ＰＨＹデータユニットの第２プリアンブル部およびデータ部を生成し、
前記第１プリアンブル部は、レガシ部および高効率ＷＬＡＮ信号（ＨＥＷ−ＳＩＧＡ）フィールドを含み、
前記第１プリアンブル部は、前記ＰＨＹデータユニットの前記第２プリアンブル部および前記データ部が第１クロックレートおよび前記第１クロックレートより低い第２クロックレートのいずれでクロックされるかを示すようにフォーマットされ、
前記第２プリアンブル部および前記データ部は、前記第１プリアンブル部に続き、
前記第２プリアンブル部は、１つ又は複数の高効率ＷＬＡＮロング・トレーニング・フィールド（ＨＥＷ−ＬＴＦ）を含み、
前記第２プリアンブル部および前記データ部は、前記ＰＨＹデータユニットが、前記第１ＰＨＹモードに従って送信される場合に、前記第１クロックレートでクロックされ、
前記第２プリアンブル部および前記データ部は、前記ＰＨＹデータユニットが前記第２ＰＨＹモードに従って送信される場合に、前記第１クロックレートより低い前記第２クロックレートでクロックされる、
通信デバイス。
【請求項１３】
前記１つ又は複数の集積回路は、前記ＰＨＹデータユニットが前記第１ＰＨＹモード又は前記第２ＰＨＹモードに従って生成されるかを示す、前記第１プリアンブル部におけるパイロットトーンのセットを生成する、請求項１２に記載の通信デバイス。
【請求項１４】
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、請求項１３に記載の通信デバイス。
【請求項１５】
前記１つ又は複数の集積回路は、前記ＰＨＹデータユニットが前記第１ＰＨＹモード又は前記第２ＰＨＹモードに従って生成されるかを示す情報を含むフィールドを有する前記第１プリアンブル部を生成する、請求項１２から１４の何れか一項に記載の通信デバイス。
【請求項１６】
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、請求項１５に記載の通信デバイス。
【請求項１７】
前記第２クロックレートは、前記第１クロックレートの分数である、請求項１２から１６のいずれか一項に記載の通信デバイス。
【請求項１８】
前記第２クロックレートは、前記第１クロックレートの１／２、１／４、１／１０、または１／１６である、請求項１７に記載の通信デバイス。
【請求項１９】
前記１つ又は複数の集積回路は、前記第２プリアンブル部および前記データ部を生成し、これにより、前記ＰＨＹデータユニットが前記第１ＰＨＹモードに従って送信される場合に、前記第２プリアンブル部および前記データ部における複数のＯＦＤＭシンボルが第１持続時間を有し、前記ＰＨＹデータユニットが前記第２ＰＨＹモードに従って送信される場合に、前記第２プリアンブル部および前記データ部における複数のＯＦＤＭシンボルが第２持続時間を有し、前記第２持続時間は、前記第１持続時間と異なる、請求項１２から１８の何れか一項に記載の通信デバイス。
【請求項２０】
前記第２持続時間は、前記第１持続時間より長い、請求項１９に記載の通信デバイス。
【請求項２１】
前記１つ又は複数の集積回路は、前記第２プリアンブル部および前記データ部を生成し、これにより、前記ＰＨＹデータユニットが前記第１ＰＨＹモードに従って送信される場合に、前記第２プリアンブル部および前記データ部における複数のＯＦＤＭシンボルが第１トーンインターバルを有し、前記ＰＨＹデータユニットが前記第２ＰＨＹモードに従って送信される場合に、前記第２プリアンブル部および前記データ部における複数のＯＦＤＭシンボルが第２トーンインターバルを有し、前記第２トーンインターバルは、前記第１トーンインターバルと異なる、請求項１２から２０の何れか一項に記載の通信デバイス。
【請求項２２】
前記第２トーンインターバルは、前記第１トーンインターバルより小さい、請求項２１に記載の通信デバイス。
【発明の詳細な説明】
【技術分野】
【０００１】
［関連出願の相互参照］
本出願は、２０１１年２月１０日に出願された米国仮特許出願番号第６１／４４１，６１０号の利益を主張する２０１２年２月３日に出願された「マルチクロックＰＨＹプリアンブル設計及び検出」と題する米国特許出願番号第１３／３６５，９６３号（現在、米国特許第８,６６５,９７４号）の継続出願である２０１４年２月２８日に出願された「マルチクロックＰＨＹプリアンブル設計及び検出」と題する米国特許出願番号第１４／１９３，４２８号の一部継続出願である。さらに、本出願は、２０１４年５月１日に出願された米国仮特許出願番号第６１／９８７，１１５号の利益を主張する。本出願はまた、２０１２年２月３日に出願された「マルチクロックＰＨＹプリアンブル設計及び検出」と題する米国特許出願番号第１３／３６５，９５０（現在、米国特許第８,６４４,１２８号）に関する。上にて参照されている出願の全ては、それらの全体がここに参照により本明細書に組み込まれている。
【０００２】
本開示は概して、複数の通信ネットワークに関し、特に、複数のクロックレートを有する複数の物理層モードを含む複数の無線ローカルエリアネットワークに関する。
【背景技術】
【０００３】
インフラストラクチャモードにおいて動作する場合、複数の無線ローカルエリアネットワーク（ＷＬＡＮ）は一般的に、一アクセスポイント（ＡＰ）及び１つ又は複数のクライアント局を含む。複数のＷＬＡＮは、過去１０年間、急速に進化してきた。米国電気電子学会（ＩＥＥＥ）８０２．１１ａ、８０２．１１ｂ、８０２．１１ｇ、及び８０２．１１ｎ規格などの複数のＷＬＡＮ規格の開発が、シングルユーザピークデータスループットを向上させた。例えば、ＩＥＥＥ８０２．１１ｂ規格では、１１メガビット毎秒（Ｍｂｐｓ）のシングルユーザピークスループットを指定し、ＩＥＥＥ８０２．１１ａ及びＩＥＥＥ８０２．１１ｇ規格では、５４Ｍｂｐｓのシングルユーザピークスループットを指定し、ＩＥＥＥ８０２．１１ｎ規格では、６００Ｍｂｐのシングルユーザピークスループットを指定し、ＩＥＥＥ８０２．１１ａｃ規格では、Ｇｂｐｓの範囲内のシングルユーザピークスループットを指定する。新規格であるＩＥＥＥ８０２．１１ａｘについての作業が開始しており、それは、さらにより大きいスループットを提供するであろう。
【０００４】
ＩＥＥＥ８０２．１１ａｆは、サブ１ＧＨｚ周波数における無線ネットワーク動作を指定する。低い周波数通信チャネルは概して、より高い周波数通信チャネルと比較して、より良好な伝搬品質及び拡張伝搬範囲を特徴としている。過去において、サブ１ＧＨｚ周波数範囲は、そのような周波数が他の用途（例えば、認可されたＴＶ周波数帯域、無線周波数帯域など）のために確保されているので、無線通信ネットワークのためには、利用されていなかった。サブ１ＧＨｚ範囲において未認可のままのいくつかの周波数帯域が存在し、異なる地理的領域において未認可の周波数が異なる。ＩＥＥＥ８０２．１１ａｆ規格は、ＴＶホワイトスペース（ＴＶＷＳ）における無線動作、すなわち、サブ１ＧＨｚ周波数帯における複数の未使用のＴＶチャネルを指定する。 
【０００５】
別の新規格であるＩＥＥＥ８０２．１１ａｈについての作業が開始しており、それは、サブ１ＧＨｚ周波数における無線ネットワーク動作を指定するであろう。ＩＥＥＥ８０２．１１ａｈ規格は、利用可能な未認可のサブ１ＧＨｚ周波数帯における無線動作を指定するであろう。 
【発明の概要】
【０００６】
一実施形態において、方法が、第１ＰＨＹモードと第２ＰＨＹモードとを有する無線通信プロトコルに従う送信用のＰＨＹデータユニットを生成するものである。方法は、第１クロックレートに従ってＰＨＹデータユニットの第１プリアンブル部を生成する段階であって、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に、第２ＰＨＹモードに従ってフォーマットされる、段階を備える。方法はまた、ＰＨＹデータユニットのＯＦＤＭ部を生成する段階であって、ＯＦＤＭ部は、第１プリアンブル部に続き、１つ又は複数のロング・トレーニング・フィールドを含む第２プリアンブル部を有し、ＰＨＹデータユニットが第１ＰＨＹモードに従って送信される場合に、第１クロックレートでクロックされ、ＰＨＹデータユニットが第２ＰＨＹモードに従って送信される場合に、第１クロックレートと異なる第２クロックレートでクロックされる、段階を備える。
【０００７】
別の実施形態において、通信デバイスが、第１クロックレートに従って、第１ＰＨＹモードと第２ＰＨＹモードとを有する無線通信プロトコルに従う送信用のＰＨＹデータユニットの第１プリアンブル部を生成するよう構成される１つ又は複数の集積回路を有するネットワークインタフェースを備え、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に、第２ＰＨＹモードに従ってフォーマットされる。１つ又は複数の集積回路は、ＰＨＹデータユニットのＯＦＤＭ部を生成するようさらに構成され、ＯＦＤＭ部は、第１プリアンブル部に続き、１つ又は複数のロング・トレーニング・フィールドを含む第２プリアンブル部を有し、ＰＨＹデータユニットが第１ＰＨＹモードに従って送信される場合に、第１クロックレートでクロックされ、ＰＨＹデータユニットが第２ＰＨＹモードに従って送信される場合に、第１クロックレートと異なる第２クロックレートでクロックされる。
【０００８】
別の実施形態において、方法が、無線通信チャネルを介して受信されるＰＨＹデータユニットを処理するものであり、ＰＨＹデータユニットは、第１ＰＨＹモードと第２ＰＨＹモードとを有する通信プロトコルに従ってフォーマットされる。方法は、ＰＨＹデータユニットのＯＦＤＭ部が、１）第１ＰＨＹモードに従って第１クロックレートでクロックされるか、又は、２）第２ＰＨＹモードに従って第２クロックレートでクロックされるかを決定する、ＰＨＹデータユニットの第１プリアンブル部を分析する段階であって、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に、第２ＰＨＹモードに従ってフォーマットされ、ＯＦＤＭ部は第１プリアンブル部に続く、段階を備える。方法はまた、１）ＯＦＤＭ部が第１クロックレートでクロックされると決定された場合に、第１クロックレートに従って、かつ、２）ＯＦＤＭ部が第２クロックレートでクロックされると決定された場合に、第２クロックレートに従って、ＰＨＹデータユニットのＯＦＤＭ部を処理する段階であって、ＯＦＤＭ部における、１つ又は複数のロング・トレーニング・フィールドを有する第２プリアンブル部を処理する段階を含む、段階を備える。
【０００９】
また別の実施形態において、通信デバイスが、第１クロックレートに従って、ＰＨＹデータユニットの第１プリアンブル部を生成するよう構成される１つ又は複数の集積回路を有するネットワークインタフェースを備え、ＰＨＹデータユニットは、第１ＰＨＹモードと第２ＰＨＹモードとを有する無線通信プロトコルに従う送信用であり、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に、第２ＰＨＹモードに従ってフォーマットされる。１つ又は複数の集積回路は、ＰＨＹデータユニットのＯＦＤＭ部を生成するようさらに構成され、ＯＦＤＭ部は、第１プリアンブル部に続き、１つ又は複数のロング・トレーニング・フィールドを含む第２プリアンブル部を有し、ＰＨＹデータユニットが第１ＰＨＹモードに従って送信される場合に、第１クロックレートでクロックされ、ＰＨＹデータユニットが第２ＰＨＹモードに従って送信される場合に、第１クロックレートと異なる第２クロックレートでクロックされる。
【図面の簡単な説明】
【００１０】
【図１】一実施形態に係る、例示的な無線ローカルエリアネットワーク（ＷＬＡＮ）のブロック図である。
【００１１】
【図２】一実施形態に係る、ＡＰ及び／又はクライアント局が通信チャネルを介して送信するよう構成される、先行技術である直交周波数分割多重方式（ＯＦＤＭ）におけるショートレンジのデータユニットの図である。
【００１２】
【図３】別の実施形態に係る、ＡＰ及び／又はのクライアント局が通信チャネルを介して送信するよう構成される、先行技術であるＯＦＤＭにおけるショートレンジのデータユニットの図である。
【００１３】
【図４】別の実施形態に係る、ＡＰ及び／又はクライアント局が通信チャネルを介して送信するよう構成される、先行技術であるＯＦＤＭにおけるショートレンジのデータユニットの図である。
【００１４】
【図５】別の実施形態に係る、ＡＰ及び／又はクライアント局が通信チャネルを介して送信するよう構成される、先行技術であるＯＦＤＭにおけるショートレンジのデータユニットの図である。
【００１５】
【図６】一実施形態に係る、ＡＰ及び／又はクライアント局が通信チャネルを介して送信するよう構成される、先行技術であるシングルキャリア（ＳＣ）におけるショートレンジのデータユニットの図である。
【００１６】
【図７】一実施形態に係る、データユニットのクロックレートを決定するプリアンブル設計の第１例及び対応する自動検出技術の図である。
【００１７】
【図８】一実施形態に係る、データユニットのクロックレートを決定するプリアンブル設計の第２例及び対応する自動検出技術の図である。
【００１８】
【図９】一実施形態に係る、データユニットのクロックレートを決定するプリアンブル設計の第３例及び対応する自動検出技術の図である。
【００１９】
【図１０】一実施形態に係る、データユニットのクロックレートを決定する、自動検出技術に対応するプリアンブル設計の第４例の図である。
【００２０】
【図１１】一実施形態に係る、データユニットのクロックレートを決定する、自動検出技術に対応するプリアンブル設計の第５例の図である。
【００２１】
【図１２】一実施形態に係る、自動検出技術に対応する、データユニットのクロックレートを決定するプリアンブル設計の第６例の図である。
【００２２】
【図１３】一実施形態に係る、プリアンブル設計の第１、第２、第３、第４、第５、又は第６例に従ってデータユニットを生成する方法例のフロー図である。
【００２３】
【図１４】一実施形態に係る、プリアンブル設計の第１、第２、第３、第４、第５、又は第６例に従って生成されるデータユニットのクロックレートを自動検出する方法例のフロー図である。
【００２４】
【図１５】一実施形態に係る、プリアンブル設計の第１例に従ってデータユニットを生成する方法例のフロー図である。
【００２５】
【図１６】一実施形態に係る、プリアンブル設計の第１例に従って生成されるデータユニットのクロックレートを自動検出する方法例のフロー図である。
【００２６】
【図１７】一実施形態に係る、プリアンブル設計の第２例に従ってデータユニットを生成する方法例のフロー図である。
【００２７】
【図１８】一実施形態に係る、プリアンブル設計の第２例に従って生成されたデータユニットのクロックレートを自動検出する方法例のフロー図である。
【００２８】
【図１９】一実施形態に係る、プリアンブル設計の第３例に従ってデータユニットを生成する方法例のフロー図である。
【００２９】
【図２０】一実施形態に係る、プリアンブル設計の第３例に従って生成されたデータユニットのクロックレートを自動検出する方法例のフロー図である。
【００３０】
【図２１】一実施形態に係る、プリアンブル設計の第４又は第５例に従ってデータユニットを生成する方法例のフロー図である。
【００３１】
【図２２】一実施形態に係る、プリアンブル設計の第４又は第５例に従って生成されたデータユニットのクロックレートを自動検出する方法例のフロー図である。
【００３２】
【図２３】一実施形態に係る、プリアンブル設計の第６例に従ってデータユニットを生成する方法例のフロー図である。
【００３３】
【図２４】一実施形態に係る、プリアンブル設計の第６例に従って生成されたデータユニットのクロックレートを自動検出する方法例のフロー図である。
【００３４】
【図２５】一実施形態に係る、無線通信プロトコルの異なる複数のＰＨＹモードに従って生成された複数のＰＨＹデータユニットの図を示す。
【００３５】
【図２６】一実施形態に係る、無線通信プロトコルの異なる複数のＰＨＹモードに従って生成された複数のＰＨＹデータユニットの図を示す。
【００３６】
【図２７】一実施形態に係る、ＰＨＹデータユニットを生成する方法例のフロー図である。
【００３７】
【図２８】一実施形態に係る、無線通信チャネルを介して送信されたＰＨＹデータユニットを処理する方法例のフロー図である。
【発明を実施するための形態】
【００３８】
以下にて説明される複数の実施形態において、無線ローカルエリアネットワーク（ＷＬＡＮ）のアクセスポイント（ＡＰ）などの無線ネットワークデバイスが、１つ又は複数のクライアント局に複数のデータストリームを送信し、及び／又は、１つ又は複数のクライアント局から複数のデータストリームを受信する。ＡＰは、少なくとも第１通信プロトコルに従って、複数のクライアント局と通信するよう構成される。一実施形態において、第１通信プロトコルは、サブ１ＧＨｚ周波数の範囲において動作を規定し、一般的には、（ＩＥＥＥ８０２．１１ａ、８０２．１１ｂ、８０２．１１ｇ、８０２．１１ｎ、８０２．１１ａｃ、８０２．１１ａｘ規格に準拠する複数のＷＬＡＮシステムと比較して、）比較的低いデータレートで、（ＩＥＥＥ８０２．１１ａ、８０２．１１ｂ、８０２．１１ｇ、８０２．１１ｎ、８０２．１１ａｃ、８０２．１１ａｘ規格に準拠する複数のＷＬＡＮシステムと比較して）よりロングレンジの無線通信を必要とする複数の用途のために用いられる。第１通信プロトコル（例えば、ＩＥＥＥ８０２．１１ａｆ又はＩＥＥＥ８０２．１１ａｈ）は、本明細書において、「ロングレンジの」（ｌｏｎｇ  ｒａｎｇｅ）通信プロトコルと称される。いくつかの実施形態において、ＡＰはまた、一般的により高い周波数範囲における動作を規定してより高いデータレートでより近距離通信のために一般的に用いられる１つ又は複数の他の通信プロトコルに従って、複数のクライアント局と通信するよう構成される。より高い周波数通信プロトコル（例えば、ＩＥＥＥ８０２．１１ａ、８０２．１１ｇ、８０２．１１ｎ、８０２．１１ａｃ、及び８０２．１１ａｘ規格）は、本明細書において、集合的に「ショートレンジの」（ｓｈｏｒｔ  ｒａｎｇｅ）通信プロトコルと称される。 
【００３９】
いくつかの実施形態において、ショートレンジの通信プロトコルが、「通常」モード及び「ロングレンジの」モード（又は「範囲拡張」モード）など、複数の処理モードを提供する。よって、いくつかの実施形態において、ＡＰは、ショートレンジの通信プロトコルの複数の通信モードに従って複数のクライアント局と通信するよう構成される。 
【００４０】
いくつかの実施形態において、ロングレンジの通信プロトコル、又はショートレンジの通信プロトコルのロングレンジのモードに準拠する複数の物理層（ＰＨＹ）データユニット（「ロングレンジのデータユニット」）は、ショートレンジの通信プロトコル、又はショートレンジの通信プロトコルのショートレンジのモードに準拠する複数のデータユニット（「ショートレンジのデータユニット」）と同じ又は同様であるが、より低いクロックレートを用いて生成される。例えば、一実施形態において、デバイス（例えば、ＡＰ）が、複数のショートレンジのデータユニットを生成するのに用いられるクロックレートをダウンサンプリング又は「ダウンクロック」することによって、ロングレンジのデータユニットを生成する。従って、いくつかの実施形態において、単一の通信デバイスは、複数の種類のデータユニット（例えば、ロングレンジの及びショートレンジのデータユニット）を生成することができ、その複数の種類のデータユニットの各種類は、同様ではあるが異なるクロックレートを用いて生成されたフォーマットを有する。よって、いくつかの実施形態において、２つ以上の異なるＰＨＹモードに対応する、異なってクロックされた２つ以上のデータユニットが、同じ領域において同時に共存する。いくつかの実施形態において、単一のＷＬＡＮは、ショートレンジのデータユニットからダウンクロックされる複数のデータユニットをそれぞれが利用する２つ以上のロングレンジの通信モード（例えば、一実施形態において、ＩＥＥＥ８０２．１１ｎのデータユニットのクロックレートの１／４及び１／８までそれぞれダウンクロックされた第１及び第２ＰＨＹモード）に準拠する複数の通信を含む。
【００４１】
他の全て（例えば、同じ高速フーリエ変換（ＦＦＴ）サイズについて）は等しいが、より速いクロックを用いて生成された直交周波数分割多重方式（ＯＦＤＭ）シンボルが、持続時間において、より遅いクロックを用いて生成されたＯＦＤＭシンボルより短い。いくつかの実施形態において、他の全て（例えば、同じフーリエ変換（ＦＦＴ）サイズについて）は等しいが、より速いクロックを用いて生成されたＯＦＤＭシンボルが、より遅いクロックを用いて生成されたＯＦＤＭシンボルより大きいトーンインターバルを利用する。複数のＯＦＤＭシンボルを含む複数の受信されたデータユニット（例えば、ＩＥＥＥ８０２．１１ａ、ＩＥＥＥ８０２．１１ｎ、ＩＥＥＥ８０２．１１ａｃ、ＩＥＥＥ８０２．１１ａｘ、ＩＥＥＥ８０２．１１ａｆ、及びＩＥＥＥ８０２．１１ａｈのデータユニット）を適切に復調するために、受信デバイスは通常、受信されるデータユニットを生成するために送信デバイスが用いたクロックレートを知らなければならない。従って、異なる複数のクロックレートが、異なる複数のＰＨＹモードのために単一領域において同時に用いられ、先天的知識を有さない複数の通信デバイスは、複数の受信されたデータユニットのクロックレートを決定又は自動検出しなければならない。データユニットの複数のプリアンブル設計の様々な実施形態、及びその複数のプリアンブル設計に基づき複数のクロックレートを自動検出する対応受信機技術が、本明細書において開示される。
【００４２】
図１は、一実施形態に係る、例示的な無線ローカルエリアネットワーク（ＷＬＡＮ）１０のブロック図である。ＡＰ１４が、ネットワークインタフェース１６に結合されるホストプロセッサ１５を含む。ネットワークインタフェース１６は、媒体アクセス制御（ＭＡＣ）処理ユニット１８とＰＨＹ処理ユニット２０とを含む。ＰＨＹ処理ユニット２０は、複数のトランシーバ２１を含み、その複数のトランシーバは、複数のアンテナ２４に結合される。３つのトランシーバ２１と３つのアンテナ２４とが図１に示されているが、ＡＰ１４は、複数の他の実施形態において、（例えば、１、２、４，５などの）異なる数のトランシーバ２１とアンテナ２４とを含んでよい。 
【００４３】
ＷＬＡＮ１０は、複数のクライアント局２５を含む。４つのクライアント局２５が図１に示されているが、ＷＬＡＮ１０は、様々なシナリオ及び実施形態において、（例えば、１、２、３、５，６などの）異なる数のクライアント局２５を含んでよい。クライアント局２５‐１は、ネットワークインタフェース２７に結合されるホストプロセッサ２６を含む。ネットワークインタフェース２７は、ＭＡＣ処理ユニット２８とＰＨＹ処理ユニット２９とを含む。ＰＨＹ処理ユニット２９は、複数のトランシーバ３０を含み、複数のトランシーバ３０は、複数のアンテナ３４に結合される。３つのトランシーバ３０と３つのアンテナ３４とが図１に示されているが、クライアント局２５‐１は、複数の他の実施形態において、（例えば、１、２、４、５などの）異なる数のトランシーバ３０とアンテナ３４とを含んでよい。一実施形態において、クライアント局２５‐２、２５‐３及び２５‐４のうちの１つ、２つ、又は３つは、クライアント局２５‐１と同じ又は同様の構造を有する。これらの実施形態において、複数のクライアント局２５は、クライアント局２５‐１と同じ又は同様に構造化され、同じ又は異なる数のトランシーバ及びアンテナを有する。例えば、一実施形態において、クライアント局２５‐２は、２つのトランシーバ及び２つのアンテナのみを有する。
【００４４】
様々な実施形態において、ＡＰ１４のＰＨＹ処理ユニット２０は、複数のＰＨＹモードの何れかにおいて動作するよう構成される。いくつかの実施形態において、各ＰＨＹモードは、特定の通信プロトコルに、又は通信プロトコルの特定のモードに対応する。その結果、いくつかの実施形態において、各ＰＨＹモードは、複数の対応するデータユニットを生成するべく、特定のクロックレートを用いることに対応する。例えば、一実施形態において、第１ＰＨＹモードは、ＰＨＹユニット２０が第１クロックレートを用いて複数のデータユニットを生成するショートレンジの通信プロトコルに対応し、第２ＰＨＹモードは、ＰＨＹユニット２０が第１クロックレートからダウンクロックされた第２クロックレートを用いて複数のデータユニットを生成するロングレンジの通信プロトコルに対応する。別の例として、一実施形態において、第１ＰＨＹモードは、ＰＨＹユニット２０が第１クロックレートを用いて複数のデータユニットを生成するショートレンジの通信プロトコルに対応し、第２ＰＨＹモードは、ＰＨＹユニット２０が第１クロックレートからダウンクロックされた第２クロックレート（例えば、１／４の第１クロックレート）を用いて複数のデータユニットを生成するロングレンジの通信プロトコルの「通常」（ｒｅｇｕｌａｒ）モードに対応し、第３ＰＨＹモードは、ＰＨＹユニット２０が第１クロックレートからさらにダウンクロックされた第３クロックレート（例えば、１／８の第１クロックレート）を用いて複数のデータユニットを生成するロングレンジの通信プロトコルの「拡張範囲」（ｅｘｔｅｎｄｅｄ  ｒａｎｇｅ）モードに対応する。別の例において、一実施形態において、第１ＰＨＹモードは、ＰＨＹユニット２０が第１クロックレートを用いて複数のデータユニットを生成するショートレンジの通信プロトコルの「通常」モードに対応し、第２ＰＨＹモードは、ＰＨＹユニット２０が第１クロックレートからダウンクロックされた第２クロックレート（例えば、１／２の第１クロックレート、１／４の第1クロックレート、１／８の第１クロックレートなど）を用いて複数のデータユニットを生成するショートレンジの通信プロトコルの「拡張範囲」モードに対応する。
【００４５】
ＡＰ１４のトランシーバ２１は、アンテナ２４を介して複数の生成されたデータユニットを送信するよう構成される。同様に、トランシーバ２１は、アンテナ２４を介して複数の同様のデータユニットを受信するよう構成される。様々な実施形態において、ＡＰ１４のＰＨＹ処理ユニット２０は、複数の受信されたデータユニット（例えば、ＰＨＹ処理ユニット２０が送信のためにサポートする複数の通信プロトコル及び複数のＰＨＹモードのうちの何れかに準拠する複数のデータユニット）を処理するようさらに構成される。
【００４６】
いくつかの実施形態において、クライアント局２５‐１のＰＨＹ処理ユニット２９が、特定の通信プロトコル及びデータユニットのクロックレートに対応する単一ＰＨＹモードのみに準拠する複数のデータユニットを生成するよう構成される。複数の他の実施形態において、ＰＨＹ処理ユニット２０と同様の方式において、ＰＨＹ処理ユニット２９は、複数のＰＨＹモードのうちの何れかに準拠する複数のデータユニットを生成するよう構成され、その各ＰＨＹモードは、特定の通信プロトコル（又は、通信プロトコルの特定のモード）及び特定のデータユニットのクロックレートに対応する
。
【００４７】
トランシーバ３０は、アンテナ３４を介して複数の生成されたデータユニットを送信するよう構成される。同様に、トランシーバ３０は、アンテナ３４を介して複数のデータユニットを受信するよう構成される。クライアント局２５‐１のＰＨＹ処理ユニット２９は、複数の受信されたデータユニット（例えば、ＰＨＹ処理ユニット２９が送信又は受信のためにサポートする複数の通信プロトコル及び複数のＰＨＹモードのうちの何れかに準拠する複数のデータユニット）を処理するようさらに構成される。
【００４８】
様々な実施形態において、クライアント局２５‐１と同様に、クライアント局２５‐２、２５‐３、及び２５‐４のそれぞれは、単一ＰＨＹモードのみに対応する複数のデータユニット、又は、複数のＰＨＹモードのうちの何れか１つに対応する複数のデータユニットを送信及び／又は受信するよう構成される。いくつかの実施形態において、クライアント局２５‐１から２５‐４のうちの１つ又は複数は、クライアント局２５‐１から２５‐４のうちの他の１つ又は複数によりサポートされていないＰＨＹモードに対応する複数のデータユニットを送信及び／又は受信するよう構成される。例えば、一実施形態において、クライアント局２５‐１は、第１レートでクロックされた複数のショートレンジのデータユニットのみを送信及び／又は受信するよう構成される一方、クライアント局２５‐２は、より遅い第２レートでクロックされたロングレンジのデータユニットのみを送信及び／又は受信するよう構成される。
【００４９】
図２は、一実施形態に係る、ＡＰ（例えば、図１のＡＰ１４）及び／又はクライアント局（例えば、図１のクライアント局２５‐１）が通信チャネルを介して送信するよう構成される、先行技術であるＯＦＤＭにおけるショートレンジのデータユニット１００の図である。データユニット１００は、ＩＥＥＥ８０２．１１ａ規格に準拠し、２０メガヘルツ（ＭＨｚ）帯域を占有する。データユニット１００は、パケット検出、初期同期、及び自動利得制御などのために通常用いられるレガシショート・トレーニング・フィールド（Ｌ−ＳＴＦ）１０２と、チャネル推定及び微同期のために通常用いられるレガシロング・トレーニング・フィールド（Ｌ‐ＬＴＦ）１０４とを含むプリアンブルを有する。データユニット１００はまた、例えば、データユニット１００を生成するのに用いられる変調種類及びコードレートなど、データユニット１００の複数の特定のＰＨＹパラメータを搬送するのに用いられるレガシ信号フィールド（Ｌ−ＳＩＧ）１０６を有する。データユニット１００はまた、データ部１０８を有する。いくつかの実施形態及び／又はシナリオによれば、データ部１０８は、必要に応じて、サービスフィールド、スクランブルされたＰＨＹサービスデータユニット（ＰＳＤＵ）、テールビット、及びパディングビットを含む。データユニット１００は、単一入力単一出力（ＳＩＳＯ）チャネル構成において１つの空間的又は空間‐時間的ストリームを介する送信のために設計されている。
【００５０】
図３は、別の実施形態に係る、ＡＰ（例えば、図１のＡＰ１４）及び／又はクライアント局（例えば、図１のクライアント局２５‐１）が通信チャネルを介して送信するよう構成される、先行技術であるＯＦＤＭにおけるショートレンジのデータユニット１２０の図である。データユニット１２０は、ＩＥＥＥ８０２．１１ｎ規格に準拠し、２０ＭＨｚ帯域を占有し、ＷＬＡＮが、ＩＥＥＥ８０２．１１ｎ規格に準拠するクライアント局と、ＩＥＥＥ８０２．１１ｎ規格ではなく、ＩＥＥＥ８０２．１１ａ規格に準拠するクライアント局との両方を含む複数のシナリオのために設計される「混合」（ｍｉｘｅｄ）モードに対応する。データユニット１２０は、Ｌ−ＳＴＦ１２２、Ｌ‐ＬＴＦ１２４、Ｌ−ＳＩＧ１２６、高スループット信号フィールド（ＨＴ‐ＳＩＧ）１２８、高スループット・ショート・トレーニング・フィールド（ＨＴ‐ＳＴＦ）１３０、及びＭ個の高スループット・ロング・トレーニング・フィールド（ＨＴ−ＬＴＦ）１３２‐１から１３２‐Ｍを含むプリアンブルを有し、ここで、Ｍは、多重入力多重出力（ＭＩＭＯ）チャネル構成においてデータユニット１２０を送信するのに用いられる空間ストリーム数に一般的に対応する整数である。特に、ＩＥＥＥ８０２．１１ｎ規格に従って、データユニット１２０は、データユニット１２０が２つの空間ストリームを用いて送信される場合に２つのＨＴ−ＬＴＦ１３２を有し、データユニット１２０が３つ又は４つの空間ストリームを用いて送信される場合に４つのＨＴ−ＬＴＦ１３２を有する。利用されている特定の空間ストリーム数の表示が、ＨＴ‐ＳＩＧ１２８に含まれている。データユニット１２０はまた、高スループットデータ部（ＨＴ‐ＤＡＴＡ）１３４を有する。
【００５１】
データユニット１２０内において、Ｌ−ＳＩＧ１２６が、二位相偏移変調方式（ＢＰＳＫ）に従って変調される一方、ＨＴ‐ＳＩＧ１２８は、直交軸上でのＢＰＳＫ（Ｑ−ＢＰＳＫ）に従って変調される。言い換えれば、ＨＴ‐ＳＩＧ１２８の変調は、Ｌ−ＳＩＧ１２６の変調と比較して９０度回転されている。そのような変調は、受信デバイスが、プリアンブル全体をデコードせずに、データユニット１２０がＩＥＥＥ８０２．１１ａ規格ではなく、ＩＥＥＥ８０２．１１ｎ規格に準拠することを決定又は自動検出することを可能にする。
【００５２】
図４は、別の実施形態に係る、ＡＰ（例えば、図１のＡＰ１４）及び／又はクライアント局（例えば、図１のクライアント局２５‐１）が通信チャネルを介して送信するよう構成される、先行技術であるＯＦＤＭにおけるショートレンジのデータユニット１４０の図である。データユニット１４０は、ＩＥＥＥ８０２．１１ｎ規格に準拠し、２０ＭＨｚ帯域を占有し、ＷＬＡＮがＩＥＥＥ８０２．１１ｎ規格ではなくＩＥＥＥ８０２．１１ａ規格に準拠するいかなるクライアント局も含まない複数のシナリオのために設計される「グリーンフィールド」（Ｇｒｅｅｎｆｉｅｌｄ）モードに対応する。データユニット１４０は、高スループット・グリーンフィールド・ショート・トレーニング・フィールド（ＨＴ‐ＧＦ‐ＳＴＦ）１４２と、第１高スループット・ロング・トレーニング・フィールド（ＨＴ‐ＬＴＦ１）１４４と、ＨＴ‐ＳＩＧ１４６と、Ｍ個のＨＴ‐ＬＴＦ１４８‐１から１４８‐Ｍとを含むプリアンブルを有し、ここで、Ｍは、ＭＩＭＯチャネル構成においてデータユニット１４０を送信するのに用いられる空間ストリーム数に一般的に対応する整数である。データユニット１４０はまた、データ部１５０を有する。
【００５３】
図５は、別の実施形態に係る、ＡＰ（例えば、図１のＡＰ１４）及び／又はクライアント局（例えば、図１のクライアント局２５‐１）が通信チャネルを介して送信するよう構成される、先行技術であるＯＦＤＭにおけるショートレンジのデータユニット１７０の図である。データユニット１７０は、ＩＥＥＥ８０２．１１ａｃ規格に準拠し、ＷＬＡＮがＩＥＥＥ８０２．１１ａｃ規格に準拠する複数のクライアント局と、ＩＥＥＥ８０２．１１ａｃ規格ではなくＩＥＥＥ８０２．１１ａ規格に準拠する複数のクライアント局との両方を含む複数のシナリオのために設計される。データユニット１７０は、２０ＭＨｚ帯域幅を占有する。複数の他の実施形態又はシナリオにおいて、データユニット１７０と同様のデータユニットが、４０ＭＨｚ、８０ＭＨｚ、又は１６０ＭＨｚ帯域幅などの異なる帯域幅を占有する。データユニット１７０は、Ｌ−ＳＴＦ１７２と、Ｌ‐ＬＴＦ１７４と、Ｌ−ＳＩＧ１７６と、第１超高スループット信号フィールド（ＶＨＴ‐ＳＩＧ‐Ａ）１７８と、超高スループット・ショート・トレーニング・フィールド（ＶＨＴ‐ＳＴＦ）１８０と、Ｍが整数であるＭ個の超高スループット・ロング・トレーニング・フィールド（ＶＨＴ‐ＬＴＦ）１８２‐１から１８２‐Ｍと、第２超高スループット信号フィールド（ＶＨＴ‐ＳＩＧ‐Ｂ）１８４とを含むプリアンブルを有する。データユニット１７０はまた、超高スループットデータ部（ＶＨＴ‐ＤＡＴＡ）１８６を含む。いくつかの実施形態において、データユニット１７０は、ＡＰ（例えば、図１のＡＰ１４）により送信されたマルチユーザのデータユニットであり、情報を１つより多くのクライアント局（例えば、図１の１つ又は複数のクライアント局２５）に同時に搬送する。複数のそのような実施形態又はシナリオにおいて、ＶＨＴ‐ＳＩＧ‐Ａ１７８は、意図されるクライアント局の全てに共通する情報を含み、ＶＨＴ‐ＳＩＧ‐Ｂ１８４は、そのクライアント局のそれぞれについてのユーザ特定情報を含む。 
【００５４】
データユニット１７０内において、Ｌ‐ＳＩＧ１７６とＶＨＴ‐ＳＩＧ‐Ａ１７８とが、ＢＰＳＫに従って変調される一方、ＶＨＴ‐ＳＩＧ‐Ｂ１８４は、Ｑ−ＢＰＳＫに従って、変調される。上にて検討されているＩＥＥＥ８０２．１１ｎの自動検出機能と同様に、そのような変調は、受信デバイスが、プリアンブル全体をデコードせずに、データユニット１７０がＩＥＥＥ８０２．１１ａ規格ではなく、ＩＥＥＥ８０２．１１ａｃ規格に準拠することを決定又は自動検出することを可能にする。
【００５５】
図６は、別の実施形態に係る、ＡＰ（例えば、図１のＡＰ１４）及び／又はクライアント局（例えば、図１のクライアント局２５‐１）が通信チャネルを介して送信するよう構成される、先行技術であるシングルキャリア（ＳＣ）におけるショートレンジのデータユニット２００の図である。様々な実施形態において、データユニット２００は、ＩＥＥＥ８０２．１１ｂ規格に準拠し、直接シーケンス拡散スペクトル方式（ＤＳＳＳ）又は相補的コード変調方式（ＣＣＫ）により変調される。データユニット２００は、受信機がデータユニット２００の存在を検出して入力信号との同期を開始することを可能にする同期化（ＳＹＮＣ）フィールド２０２を含む。データユニット２００はまた、フレームの開始を知らせるスタートフレームデリミタ（ＳＦＤ）フィールド２０４を含む。ＳＹＮＣフィールド２０２とＳＦＤフィールド２０４とが、データユニット２００のプリアンブル部を形成する。データユニット２００はまた、信号フィールド２０６と、サービスフィールド８０８と、長さフィールド２１０と、巡回冗長検査（ＣＲＣ）フィールド２１２とを含むヘッダ部を有する。データユニット２００はまた、ＰＨＹサービスデータユニット（ＰＳＤＵ）２１４、すなわち、データ部を含む。
【００５６】
様々な実施形態及び／又はシナリオにおいて、ロングレンジの通信プロトコル（例えば、ＩＥＥＥ８０２．１１ａｆ又は８０２．１１ａｈ規格）に準拠する複数のデータユニットは、図２‐５に関連して上にて説明され示されているように、少なくともＩＥＥＥ８０２．１１ａ規格、８０２．１１ｎ規格（混合モード又はグリーンフィールド）、又は８０２．１１ａｃ規格により規定されているものと実質的に同じになるようにフォーマットされるが、より低い周波数（例えば、サブ１ＧＨｚ）でより遅いクロックレートを用いて送信される。いくつかの実施形態及び／又はシナリオにおいて、ショートレンジの通信プロトコルのロングレンジのＰＨＹモード（例えば、８０２．１１ａｘ規格の範囲拡張（ｒａｎｇｅ  ｅｘｔｅｎｓｉｏｎ）モード）に準拠する複数のデータユニットは少なくとも、ショートレンジのプロトコルの通常モード（例えば、ＩＥＥＥ８０２．１１ａｘ規格の通常モード）に準拠する複数のデータユニットと実質的に同じになるようにフォーマットされるが、より遅いクロックレートを用いて送信される。
【００５７】
いくつかのそのような実施形態において、送信デバイス（例えば、ＡＰ１４）は、複数のショートレンジのデータユニットを生成するために用いられるクロックレートを、複数のロングレンジのデータユニットを生成するために用いられるより低いクロックレートまで１／Ｎにダウンクロックする。ロングレンジのデータユニットは従って、通常、より長い時間にわたって送信され、対応するショートレンジのデータユニットよりも小さい帯域幅を任意に占有する。ダウンクロックのファクタＮは、異なる複数の実施形態及び／又はシナリオに従って異なる。１つの実施形態において、ダウンクロックのファクタＮは、４に等しい。他の実施形態において、他の適したダウンクロックのファクタ（Ｎ）の値が利用され、複数のロングレンジのデータユニットの複数の送信時間及び帯域幅は従って、スケーリングされる。いくつかの実施形態において、ダウンクロックのファクタＮは、２の冪（例えば、Ｎ＝２、４、８、１６、３２など）である。いくつかの実施形態において、ダウンクロックのファクタＮは、２の冪ではない、適した数字（例えば、Ｎ＝５、１０、２０など）である。 
【００５８】
ダウンクロックにより生成されるロングレンジのデータユニットの複数の例については、２０１２年１月２６日に出願された米国特許出願番号第１３／３５９，３３６号（現在、米国特許第８,８６７,６５３号）において説明され、その全体はここに参照により本明細書に組み込まれている。いくつかの実施形態において、米国特許出願番号第１３／３５９，３３６号においても説明されているように、ロングレンジの通信プロトコルが、値Ｎ１によりダウンクロックされた「通常」モードのデータユニットと、値Ｎ２によりダウンクロックされた「拡張範囲」のデータユニットとの両方を規定し、ここで、Ｎ２＞Ｎ１である。よって、いくつかの実施形態において、デバイス（例えば、ＡＰ１４及び／又はクライアント局２５）は、デバイスが通常モード又は拡張範囲モードにあるかに応じて、ダウンクロックされた第１レート又はさらにダウンクロックされた第２レートで、ロングレンジのデータユニットを選択的に送信する。
【００５９】
特定の領域において共存する複数のデータユニット（例えば、ショートレンジの及びロングレンジのデータユニット、及び／又は、通常ロングレンジの及び拡張ロングレンジのデータユニット）を生成するように複数のクロックレートの使用の結果、データユニットを受信する通信デバイス（例えば、ＡＰ１４及び／又はクライアント局２５）がデータユニットを生成するのに用いられるクロックレートを決定又は自動検出できる場合に役に立つ。以下にて複数の実施形態において説明されるように、データユニットの第１プリアンブル部は、受信デバイスが対応技術を用いてデータユニットのクロックレートを自動検出する（例えば、第１プリアンブル部に続くデータユニットのＯＦＤＭ変調部のクロックレートを自動検出する）ことを許可する。続いて説明される複数の実施形態において、クロックレートが検出されているデータユニットのＯＦＤＭ変調部は、「ＯＦＤＭ部」と称される。しかしながら、いくつかの実施形態において（例えば、第１プリアンブル部がＳＴＦを含むいくつかの実施形態において）、第１プリアンブル部はまたＯＦＤＭ変調される。
【００６０】
第１、第２、及び第３実施例を含み、図７−９に対応する複数の実施例の第１グループにおいて、データユニットのプリアンブルのＳＴＦが、データユニットのＯＦＤＭ部のクロックレートを示すよう設計される。様々な実施形態において、ＳＴＦは、パケット検出、初期同期、自動利得制御などのうちの１つ又は複数のために用いられる。ＯＦＤＭ部は、様々な実施形態においてチャネル推定及び微同期などのうちの１つ又は複数のために用いられる１つ又は複数のＬＴＦを含む。様々な実施形態又はシナリオにおいて、図７−９のプリアンブル設計は、通信デバイス（例えば、図１のＡＰ１４及び／又はクライアント局２５）により通信チャネルを通じて送信及び／又は受信された複数のデータユニットにおいて利用される。図７−９のそれぞれは、２つの例示的なプリアンブルを示し、それぞれが特定のクロックレートに対応するＰＨＹモードを反映する。１つの実施形態において、ＡＰ（例えば、ＡＰ１４）は、例示的なプリアンブルの両方を生成することができる（すなわち、ＡＰは、異なる複数のクロックレートに対応する複数のＰＨＹモードをサポートする）一方、各クライアント局（例えば、複数のクライアント局２５のそれぞれ）は、例示的なプリアンブルのうちの１つのみを生成することができる（すなわち、各クライアント局は、単一クロックレートに対応するＰＨＹモードのみをサポートする）。別の実施形態において、ＡＰ及び１つ又は複数のクライアント局の両方とも、例示的なプリアンブルの両方を生成することができる。
【００６１】
説明の簡便性のために、図７‐９は、単一ＳＴＦを含む第１部と単一ＬＴＦを含む第２部のみとを有する複数のプリアンブルを示す。しかしながら、複数の他の実施形態において、異なる複数の種類及び／又はフィールド数がプリアンブルに含まれる。例えば、一実施形態において、プリアンブルは、ＳＴＦに続く複数のＬＴＦを含む。別の例として、一実施形態において、プリアンブルの追加の複数の非ＬＴＦフィールド（例えば、受信機に複数の基本ＰＨＹパラメータを知らせるために用いられる１つ又は複数のＳＩＧフィールド）が、ＬＴＦに続く。いくつかの実施形態において、複数のプリアンブルは、図２‐５に関連して上にて検討されているプリアンブルのうちの何れか１つと同じであるが、図７‐９に関連して以下にて説明される複数の実施形態のうちの１つに示されるように設計された第１ＳＴＦを有する。例えば、様々な実施形態において、図２のＬ‐ＳＴＦ１０２、図３のＬ‐ＳＴＦ１２２、図４のＨＴ‐ＧＦ‐ＳＴＦ１４２、又は図５のＬ‐ＳＴＦ１７２が、以下にて説明される実施形態に従って設計される。さらに、図７‐９はそれぞれ、２つの可能なクロックレートのみに対応する複数のプリアンブルを示す一方、当業者は、以下にて説明される複数のプリアンブル設計及び自動検出技術が、異なる複数のクロックレートでの３つ以上の共存するＰＨＹモードを含む複数のシステムに拡張され得ることを理解するであろう。
【００６２】
（図７に関連して検討される）第１実施例において、プリアンブルのＳＴＦが、データユニットの後続のＯＦＤＭ部と同じダウンクロック比を用いてダウンクロックされる。図７を参照すると、第１プリアンブル３００が、第１クロックレート（例えば、一実施形態において、ＩＥＥＥ８０２．１１ａ、８０２．１１ｎ、又は８０２．１１ａｃのデータユニットの通常のクロックレート）でクロックされたＯＦＤＭ部を有する複数のデータユニットに含まれている。プリアンブル３００は、第１プリアンブル部３１０と第２プリアンブル部３１４とを含む。第１プリアンブル部３１０は、第１クロックレートでクロックされ、Ｊ個の繰り返しＳＴＦシーケンス３１８‐１から３１８‐Ｊを含む。第２プリアンブル部３１４は、少なくとも第１ロング・トレーニング・フィールド（ＬＴＦ１）３２４を含み、データユニットのＯＦＤＭ部に含まれる。いくつかの実施形態において、データユニットのＯＦＤＭ部はまた、データ部（図７に図示せず）を含む。
【００６３】
第２プリアンブル３３０が、第１クロックレートより低い第２クロックレートでクロックされたＯＦＤＭ部を有する複数のデータユニットに含まれる。図７の実施例において、プリアンブル３３０を有するデータユニットのＯＦＤＭ部は、プリアンブル３００を有するデータユニットのＯＦＤＭ部のクロックレートの１／４に等しいレートでクロックされる（例えば、一実施形態において、Ｎ＝４を用いて第１クロックレートからダウンクロックすることによって生成される）。複数の他の実施形態において、第２クロックレートは、異なる比率により第１クロックレートと異なる（例えば、様々な実施形態におちて、Ｎ＝８、１０、１６などのダウンクロック比が用いられる）。プリアンブル３００と同様に、プリアンブル３３０は、第１プリアンブル部３４０及び第２プリアンブル部３４４を含み、第１プリアンブル部３４０は、Ｊ個の繰り返しＳＴＦシーケンス３４８‐１から３４８‐Ｊを含む。プリアンブル３００にまた同様に、第２プリアンブル部３４４は、少なくとも第１ロング・トレーニング・フィールド（ＬＴＦ１）３５４を含み、データユニットのＯＦＤＭ部に含まれる。しかしながら、プリアンブル３００の第１プリアンブル部３１０とは異なって、プリアンブル３３０の第１プリアンブル部３４０は、より低い第２クロックレートでクロックされる。
【００６４】
ＳＴＦシーケンス３４８が、ＳＴＦシーケンス３１８を生成するのに用いられるクロックレートより４倍遅いクロックレートを用いて生成されるので、かつ、第１プリアンブル部３１０と第１プリアンブル部３４０とが、同じ数（Ｊ）の繰り返しＳＴＦシーケンスを含むので、プリアンブル３３０の第１プリアンブル部３４０は、持続時間において、プリアンブル３００の第１プリアンブル部３１０より４倍長い。プリアンブル３００を有する複数のデータユニットと、プリアンブル３３０を有する複数のデータユニットとを受信する通信デバイスは従って、ＯＦＤＭ部内の複数のＯＦＤＭシンボルを復調する前に、ＯＦＤＭ部のクロックレートを決定するために、第１プリアンブル部の開始と第１プリアンブル部の終了との間（すなわち、図７の実施形態においては、第１プリアンブル部の開始とＳＴＦ／ＬＴＦ境界線との間）の長さを利用することができる。この目的のために、図７に示されているように、受信機が、各受信されたデータユニット上で自己相関を実行する。１つの実施形態において、第１自己相関が、第１ポテンシャルクロックレートに対応する繰り返し期間（時間インターバル）を用いて実行され、第２自己相関が、第２ポテンシャルクロックレートに対応する繰り返し期間を用いて実行される。図７の実施例において、第１自己相関は、第１クロックレートでクロックされたＳＴＦシーケンス３１８の０．８μｓの長さに対応する０．８μｓインターバルを利用し、第２自己相関は、第２クロックレートでクロックされたＳＴＦシーケンス３４８の３．２μｓの長さに対応する３．２μｓのインターバルを利用する。第１及び第２自己相関は、一実施形態において、図１のＰＨＹユニット２０又はＰＨＹユニット２９などのＰＨＹユニットの並列キャリアセンス回路及び／又はソフトウェアモジュールにより同時に実行される。 
【００６５】
図７に示されているように、第１自己相関は、第１キャリアセンス信号３８０を出力し、第２自己相関は、第２キャリアセンス信号３８４を出力する。いくつかの実施形態において、第１キャリアセンス信号３８０のパルス長さは、（イベントＣＳ３８６として図示される）キャリアのセンシングと、（イベント「ＳＴＦ／ＬＴＦ境界線」３８８として図示される）第１プリアンブル部３１０から第２プリアンブル部３１４への遷移の検出との間の推定延べ時間に対応する。同様に、いくつかの実施形態において、第２キャリアセンス信号３８４のパルス長さは、（イベントＣＳ３９０として図示される）キャリアのセンシングと、（イベント「ＳＴＦ／ＬＴＦ境界線」３９２として図示される）第１プリアンブル部３４０から第２プリアンブル部３４４への遷移の検出との間の推定延べ時間に対応する。 
【００６６】
いくつかの実施形態において、キャリアセンス信号３８０及び／又はキャリアセンス信号３８４は、適した予め定められた閾値と比較され、閾値を満たす場合に、「高い」と決定される。いくつかの実施形態において、ＣＳ３８６又はＣＳ３９０の検出は、そのような閾値が満たされたと決定することを含む。さらに、いくつかの実施形態において、ある時間において「高い」状態にあった後に、自己相関がそのような閾値を下回る（又は異なる第２閾値を下回る）場合に、第１プリアンブル部から第２プリアンブル部への遷移が検出される。いくつかの実施形態において、ＳＴＦ／ＬＴＦ境界線３８８又はＳＴＦ／ＬＴＦ境界線３９２の検出は、そのような遷移の検出を含む。図７は、第１キャリアセンス信号３８０及び第２キャリアセンス信号３８４を連続するパルスとして表しているが、ここで用いられている「パルス」という用語は、連続するパルス及び連続しないパルス（例えば、パルス長さ全体において必ずしも「高い」又は「低い」ものではないが、そのパルス長さ全体において、ある適した予め定められた基準を満たす複数の信号）の両方を含む。
【００６７】
いくつかの実施形態において、ＳＴＦ部上で動作する場合にどのキャリアセンス信号が強い自己相関を示すかを決定することによって、受信機が受信されたデータユニットのクロックレートを検出する。例えば、一実施形態において、第２キャリアセンス信号３８４は立ち上がったが、第１キャリアセンス信号３８０は受立ち上がらなかった場合に、受信機は、受信されたＳＴＦシーケンス（従って、データユニットの対応するＯＦＤＭ部）がより低い第２クロックレートでクロックされると決定する。逆に、この実施形態において、第１キャリアセンス信号３８０は立ち上がったが、第２キャリアセンス信号３８４は立ち上がらなかった場合に、受信機は、受信されたＳＴＦシーケンス（従って、データユニットの対応するＯＦＤＭ部）がより高い第１クロックレートでクロックされると決定する。言い換えれば、例として、一実施形態において、第２キャリアセンス信号３８４は適した検出基準を満たすが、第１キャリアセンス信号３８０は適した検出基準を満たしていない場合、受信機は、受信されたＳＴＦシーケンス（従って、データユニットの対応するＯＦＤＭ部）がより低い第２クロックレートでクロックされると決定する。逆に、この実施形態において、第１キャリアセンス信号３８０は適した検出基準を満たすが、第２キャリアセンス信号３８４は適した検出基準を満たしていない場合、受信機は、受信されたＳＴＦシーケンス（従って、データユニットの対応するＯＦＤＭ部）がより高い第１クロックレートでクロックされると決定する。 
【００６８】
しかしながら、いくつかの実例において、より高いレートでクロックされたＳＴＦシーケンスは、より低いクロックされたレートに対応するキャリアセンシングをトリガし得る。例えば、いくつかの実施形態及び／又はシナリオにおいて、（より高い第１クロックされたレートでクロックされた）ＳＴＦシーケンス３１８を有する受信されたデータユニットは、キャリアの検出を示すよう、第１キャリアセンス信号３８０と第２キャリアセンス信号３８４との両方を引き起こし得る。この状況において、一実施形態において、受信機は、キャリアセンス信号３８０、３８４のうちの少なくとも１つのパルス長さに基づき、データユニットのＯＦＤＭ部のクロックレートを決定する。例えば、１つの実施形態において、各ＳＴＦは、Ｊ＝１０のシーケンスを含み（例えば、図７の第１プリアンブル部３１０は、８．０μｓの長さであり、図７の第２プリアンブル部３４０は３２μｓの長さである）、受信機は、キャリアセンス信号３８０、３８４が、キャリア検出の開始とＳＴＦ／ＬＴＦ境界線との間の８．０μｓの長さを示す場合に、ＯＦＤＭ部のクロックレートが第１クロックレートであると決定し、キャリアセンス信号３８０、３８４が、キャリア検出の開始とＳＴＦ／ＬＴＦ境界線との間の３２μｓの長さを示す場合に、ＯＦＤＭ部のクロックレートが第２クロックレートであると決定する。様々な他の実施形態においては、複数の他のアルゴリズムを用いる。Ｊ＝１０である１つの例として、一実施形態において、受信機は、ＳＴＦ／ＬＴＦ境界線が、キャリア検出の開始から１０μｓ以内に生じた場合に、クロックレートが第１クロックレートであると決定し、ＳＴＦ／ＬＴＦ境界線が、キャリア検出の開始から１０μｓ以上経過後に生じた場合に、クロックレートが第２クロックレートであると決定する。キャリアセンス信号３８０とキャリアセンス信号３８４との両方がキャリアの検出を示すいくつかの実施形態及びシナリオにおいて、受信機は、複数のキャリアセンス信号のうちの１つのみのパルス長さを観察することによって、クロックレートを決定する。複数の他の実施形態において、両方のキャリアセンス信号のそれぞれのパルス長さが観察される。
【００６９】
キャリアセンス信号３８０、３８４の両方が最初にキャリアセンスを示し得るので、図７の自動検出技術例を用いる受信機は、第１プリアンブル部の開始から十分な時間が経過するまで、受信されたデータユニットのクロックレートを決定できない場合があり、従って、検出されたクロックレートに基づき、受信機クロックレートを動的に調整するための十分な時間を有さない場合がある。従って、一実施形態において、図７の自動検出技術を用いる受信機が、第１及び第２クロックレートのうちのより速いほうに対応するクロックレートで動作する。
【００７０】
（図８に関連して検討されている）第２実施例において、プリアンブルのＳＴＦは、データユニットの後続のＯＦＤＭ部のクロックレートに関係なく、一定のクロックレートを用いて生成される繰り返されたＳＴＦシーケンスを含む。しかしながら、ＳＴＦは、ＳＴＦシーケンスのより多く又はより少ない繰り返しを含むことによって、ＯＦＤＭ部のクロックレートの表示を提供する。図８を参照すると、第１プリアンブル４００が、第１クロックレート（例えば、ＩＥＥＥ８０２．１１ａ、８０２．１１ｎ、又は８０２．１１ａｃのデータユニットの通常のクロックレート）でクロックされたＯＦＤＭ部を有するデータユニットに含まれる。プリアンブル４００は、第１プリアンブル部４１０と第２プリアンブル部４１４とを含む。第１プリアンブル部４１０は、Ｊ個の繰り返しＳＴＦシーケンス４１８‐１から４１８‐Ｊを含む。第２プリアンブル部４１４は、少なくとも第１ロング・トレーニング・フィールド（ＬＴＦ１）４２４を含み、データユニットのＯＦＤＭ部に含まれる。いくつかの実施形態において、データユニットのＯＦＤＭ部はまた、データ部（図８に図示せず）を含む。
【００７１】
第２プリアンブル４３０が、第１クロックレートより低い第２クロックレートでクロックされるＯＦＤＭ部を有する複数のデータユニットに含まれる。例えば、一実施形態において、プリアンブル４３０を有するデータユニットのＯＦＤＭ部は、プリアンブル４００を有するデータユニットのＯＦＤＭ部のクロックレートの１／４に等しいレートでクロックされる（例えば、一実施形態において、Ｎ＝４を用いて第１クロックレートからダウンクロックすることによって生成される）。複数の他の実施形態において、第２クロックレートは、異なる比率により第１クロックレートと異なる（例えば、様々な実施形態において、Ｎ＝８、１０、１６などのダウンクロック比が用いられる）。プリアンブル４００と同様に、プリアンブル４３０は、第１プリアンブル部４４０と第２プリアンブル部４４４とを含み、第２プリアンブル部４４４は、少なくとも第１ロング・トレーニング・フィールド（ＬＴＦ１）４５４を含み、データユニットのＯＦＤＭ部に含まれる。さらに、一実施形態において、プリアンブル４３０の第１プリアンブル部４４０がプリアンブル４００の第１プリアンブル部４１０と同じクロックレートでクロックされる（例えば、様々な実施形態に従って、両方とも、第１クロックレートでクロックされ、又は両方とも、第２クロックレートでクロックされる）。しかしながら、第１プリアンブル部４１０とは異なり、第１プリアンブル部４４０は、Ｋ個の繰り返しＳＴＦシーケンス４４８‐１から４４８‐Ｋを含み、ここで、ＫはＪより大きい。いくつかの実施形態において、Ｋ／Ｊ比は、第１クロックレート対第２クロックレートの比に等しい。例えば、１つの実施形態において、第１クロックレートは、第２クロックレートより４倍大きく、Ｋ／Ｊ比＝４である。複数の他の実施形態において、Ｋ／Ｊ比は、第１クロックレート対第２クロックレートの比とは異なる。 
【００７２】
プリアンブル４３０の第１プリアンブル部４４０が、プリアンブル４００の第１プリアンブル部４１０より多くのＳＴＦシーケンスを含むので、第１プリアンブル部４４０は、第１プリアンブル部４１０より長い。プリアンブル４００を有する複数のデータユニットと、プリアンブル４３０を有する複数のデータユニットとを受信する通信デバイスは従って、ＯＦＤＭ部内で複数のＯＦＤＭシンボルを復調する前にＯＦＤＭ部のクロックレートを決定するよう、第１プリアンブル部の開始と第１プリアンブル部の終了との間（すなわち、図８の実施形態においては、第１プリアンブル部の開始とＳＴＦ／ＬＴＦ境界線との間）の長さを利用する。この目的のために、図８に示されているように、受信機は、各受信されたデータユニット上で自己相関を実行する。図７の第１実施例とは異なり、一実施形態において、１つの自己相関のみが、受信されたデータユニット上で実行される。１つの実施形態において、自己相関は、第１プリアンブル部４１０と第１プリアンブル部４４０との両方を生成するのに用いられるクロックレートに対応する繰り返し期間（時間インターバル）を用いて実行される。図８の実施例において、自己相関は、ＳＴＦシーケンス４１８とＳＴＦシーケンス４４８との３．２μｓの長さに対応する３．２μｓのインターバルを利用する。
【００７３】
図７は、異なる（例えば、並列）キャリアセンス回路及び／又はソフトウェアモジュールの複数の出力に対応する複数の代替的な自己相関出力を示す一方で、図８に示されている自己相関出力の両方は、同じキャリアセンス回路及び／又はソフトウェアモジュールの複数の代替的な出力を表す。プリアンブル４００を有するデータユニットが受信された場合に、第１キャリアセンス信号４８０が自己相関により出力され、プリアンブル４３０を有するデータユニットが受信された場合に、第２キャリアセンス信号４８４が自己相関により出力される。いくつかの実施形態において、第１キャリアセンス信号４８０のパルス長さは、（イベントＣＳ４８６として図示される）キャリアのセンシングと、（イベント「ＳＴＦ／ＬＴＦ境界線」４８８として図示される）第１プリアンブル部４１０から第２プリアンブル部４１４への遷移の検出との間の推定延べ時間に対応する。同様に、いくつかの実施形態において、第２キャリアセンス信号４８４のパルス長さは、（イベントＣＳ４９０として図示される）キャリアセンシングと、（イベント「ＳＴＦ／ＬＴＦ境界線」４９２として図示される）第１プリアンブル部４４０から第２プリアンブル部４４４への遷移の検出との間の推定延べ時間に対応する。 
【００７４】
いくつかの実施形態において、受信機は、キャリアセンス信号のパルス長さに基づき、受信されたデータユニットのＯＦＤＭ部のクロックレートを決定する。例えば、Ｊ＝４、かつ、Ｋ＝１６である（例えば、図８の実施例において、第１プリアンブル部４１０は１２．８μｓの長さであり、図８の第２プリアンブル部４４０は、５１．２μｓの長さである）１つの実施形態において、受信機は、キャリアセンス信号がキャリアセンスとＳＴＦ／ＬＴＦ境界線との間の１２．８μｓの長さを示す場合に、ＯＦＤＭ部のクロックレートが第１クロックレートであると決定し、キャリアセンス信号がキャリアセンスとＳＴＦ／ＬＴＦ境界線との間の５１．２μｓの長さを示す場合に、ＯＦＤＭ部のクロックレートが第２クロックレートであると決定する。様々な他の実施形態においては、複数の他のアルゴリズムを用いる。再びＪ＝４、かつ、Ｋ＝１６である１つの例として、受信機は、一実施形態において、ＳＴＦ／ＬＴＦ境界線がキャリアセンスの２０μｓ内に生じた場合に、クロックレートが第１クロックレートであると決定し、ＳＴＦ／ＬＴＦ境界線がキャリアセンスから２０μｓ以上経過後に生じた場合に、クロックレートが第２クロックレートであることを決定する。複数の他の実施形態において、Ｊ及びＫの異なる適した値が利用される。 
【００７５】
図７の自動検出技術例と同様に、図８の自動検出技術例は、検出されたクロックレートに基づき、受信機クロックレートを動的に調整するための十分な時間を提供しない場合がある。従って、図８の自動検出技術を用いる受信機は、一実施形態において、第１及び第２クロックレートのうちより速いほうに対応するクロックレートで動作する。
【００７６】
（図９に関連して検討される）第３実施例において、プリアンブルのＳＴＦは、データユニットの後続のＯＦＤＭ部のクロックレートに関係なく、一定のクロックレートを用いて生成される複数の繰り返されたＳＴＦシーケンスを含む。しかしながら、繰り返されたＳＴＦシーケンスは、ＯＦＤＭ部のクロックレートの表示を提供するカバーコードにより増加される。１つの実施形態において、このプリアンブル設計は、図８のプリアンブル設計と組み合わされ、ＯＦＤＭ部のクロックレートは、ＳＴＦシーケンスの繰り返し数によりさらに示される。図９は、カバーコード及びＳＴＦシーケンス数の両方が、ＯＦＤＭ部のクロックレートを示すのに用いられる一実施形態のためのプリアンブル設計例及び対応する自動検出技術を示す。図９を参照すると、第１プリアンブル５００が、第１クロックレート（例えば、様々な実施形態において、ＩＥＥＥ８０２．１１ａ、８０２．１１ｎ、又は８０２．１１ａｃのデータユニットの通常のクロックレート）でクロックされたＯＦＤＭ部を有する複数のデータユニットに含まれる。プリアンブル５００は、第１プリアンブル部５１０と第２プリアンブル部５１４とを含む。第１プリアンブル部５１０は、第１カバーコードにより増加されるＪ個の繰り返しＳＴＦシーケンス５１８‐１から５１８‐Ｊを含む。第１カバーコードは、第１クロックレートに対応する（すなわち、第１クロックレートがデータユニットのＯＦＤＭ部のために用いられる受信デバイスを示すのに用いられる）。第２プリアンブル部５１４は、少なくとも第１ロング・トレーニング・フィールド（ＬＴＦ１）５２４を含み、データユニットのＯＦＤＭ部に含まれる。いくつかの実施形態において、データユニットのＯＦＤＭ部はまた、データ部（図９に図示せず）を含む。
【００７７】
第２プリアンブル５３０は、第１クロックレートより低い第２クロックレートでクロックされるＯＦＤＭ部を有する複数のデータユニットに含まれる。例えば、一実施形態において、プリアンブル５３０を有するデータユニットのＯＦＤＭ部は、（例えば、一実施形態において、Ｎ＝４を用いて第１クロックレートからダウンクロックすることによって）プリアンブル５００を有するデータユニットのＯＦＤＭ部のクロックレートの１／４に等しいレートでクロックされる。複数の他の実施形態において、第２クロックレートは、異なる比率により第１クロックレートと異なる（例えば、様々な実施形態において、Ｎ＝８、１０、１６などのダウンクロック比が用いられる）。プリアンブル５００と同様に、プリアンブル５３０は、第１プリアンブル部５４０と第２プリアンブル部５４４とを含み、第２プリアンブル部５４４は、少なくとも第１ロング・トレーニング・フィールド（ＬＴＦ１）５５４を含み、データユニットのＯＦＤＭ部に含まれる。さらに、一実施形態において、プリアンブル５３０の第１プリアンブル部５４０は、プリアンブル５００の第１プリアンブル部５１０と同じクロックレートでクロックされる（例えば、様々な実施形態に従って、両方とも第１クロックレートでクロックされ、又は、両方とも第２クロックレートでクロックされる）。しかしながら、第１プリアンブル部５１０とは異なり、第１プリアンブル部５４０は、第１カバーコードと異なる第２カバーコードにより増加されるＳＴＦシーケンス５４８を含む。第２カバーコードは、より低い第２クロックレートに対応する（すなわち、受信デバイスに、データユニットのＯＦＤＭ部が第２クロックレートでクロックされることを示すのに用いられる）。一実施形態において、プリアンブル５００において用いられる第１カバーコードが一連の正の１のみ（すなわち、［１  １  １  １...］）である一方、プリアンブル５３０において用いられる第２カバーコードは、一連の交互に並んだ正及び負の１（すなわち、［１  ‐１  １  ‐１...］）である。
【００７８】
図９から分かるように、プリアンブル５３０の第１プリアンブル部５４０は、Ｋ個の繰り返しＳＴＦシーケンス５４８‐１から５４８‐Ｋを含む。図９に示されている実施例のような複数の実施形態において、ＯＦＤＭ部のクロックレートは、ＳＴＦシーケンス数によりさらに示され、ＫはＪより大きい。これらの実施形態のいくつかにおいて、Ｋ／Ｊ比は、第１クロックレート対第２クロックレートの比に等しい。代替的に、ＯＦＤＭ部のクロックレートがＳＴＦシーケンス数により示されないある実施形態において、ＫはＪに等しい。
【００７９】
第１プリアンブルセクションのカバーコードは特定の受信されたデータユニットにとっては既知ではないので、受信機は、一実施形態において、２つの並列する経路において受信されたデータユニットの第１プリアンブル部を処理する。一実施形態において、第１経路において、受信機は、第１カバーコードを取り除き、又は取り消すよう試み、第２経路においては、受信機は、第２カバーコードを取り除き、又は取り消すよう試みる。一実施形態において、少なくとも第１プリアンブル部の（処理された）第１自己相関が、第１経路において、カバーコード処理に続き、少なくとも第１プリアンブル部の（処理された）並列する第２自己相関が、第２経路において、カバーコード処理に続く。例えば、第１カバーコードが一連の１であり、第２カバーコードが一連の交互に並んだ１及び‐１である１つの実施形態においては、第１自己相関は、従来の自己相関であるが、第２自己相関の２つのウィンドウのうちの１つのサンプルが‐１により乗算される。
【００８０】
図９に示されているように、第１自己相関は、第１キャリアセンス信号５８０を出力し、第２自己相関は、第２キャリアセンス信号５８４を出力する。いくつかの実施形態において、受信機は、ＳＴＦ部上で動作する場合にどのキャリアセンス信号が強い自己相関を示すかを決定することによって受信されたデータユニットのクロックレートを検出する。例えば、一実施形態において、第２キャリアセンス信号５８４は立ち上がった（すなわち、キャリアセンス５８６が生じた）が、第１キャリアセンス信号５８０は立ち上がっていない（すなわち、キャリアセンス５９０は生じていない）場合、受信機は、データユニットのＯＦＤＭ部がより低い第２クロックレートでクロックされると決定する。逆に、この実施形態において、第１キャリアセンス信号５８０は立ち上がったが、第２キャリアセンス信号５８４は立ち上がっていない場合、受信機は、データユニットのＯＦＤＭ部がより高い第１クロックレートでクロックされると決定する。クロックレートがＳＴＦシーケンス数によりさらに示される（すなわち、Ｋ＞Ｊ）いくつかの実施形態において、図８の自動検出方法と同様に、受信機はまた、キャリアセンス信号５８０及び／又はキャリアセンス信号５８４のパルス長さ（例えば、ＳＴＦ／ＬＴＦ境界線５９２又はＳＴＦ／ＬＴＦ境界線５９６の位置）に基づき、クロックレートを決定又は確認する。言い換えれば、例として、第２キャリアセンス信号５８４が適した検出基準を満たしたが、第１キャリアセンス信号５８０が適した検出基準を満たしていない場合、一実施形態において、受信機は、データユニットの対応するＯＦＤＭ部がより低い第２クロックレートでクロックされると決定する。逆に、この実施形態において、第１キャリアセンス信号５８０は適した検出基準を満たしたが、第２キャリアセンス信号５８４は適した検出基準を満たしていない場合、受信機は、データユニットのＯＦＤＭ部がより高い第１クロックレートでクロックされると決定する。
【００８１】
図９の自動検出技術例を用いる受信機は一般的に、（例えば、キャリアセンス５８６又はキャリアセンス５９０に基づき）受信されたデータユニットのクロックレートを迅速に決定することができる。よって、一実施形態において、受信デバイスは、決定されたＯＦＤＭ部のクロックレートに対応するよう受信機クロックレートを動的に調整するよう構成され、受信デバイスの電力を節減できる。これらの実施形態のうちのいくつかにおいて、受信デバイスは、第１クロックレート又は第２クロックレートでクロックされたＯＦＤＭ部を有するデータユニットが受信されたか否かに応じて、キャリアセンス５８６又はキャリアセンス５９０の発生に応答して受信機クロックレートを動的に調整するよう構成される。一実施形態において、受信デバイスは、データユニットのＯＦＤＭ部の任意の一部を処理（例えば、復調）する前に、受信機クロックレートを動的に調整するよう構成される。
【００８２】
第４、第５、及び第６実施例を含み、図１２‐１０に対応する複数の実施例の第２グループにおいて、ＳＣ「追加プリアンブル」（ｅｘｔｒａ  ｐｒｅａｍｂｌｅ）部が、ロングレンジのデータユニットの第１プリアンブル部として機能し、その追加プリアンブル部は、データユニットのＯＦＤＭ部のクロックレートを反映するよう設計される。いくつかの実施形態において、図１０‐１２のデータユニットの複数のフォーマットは、追加プリアンブル部を除き、ショートレンジのデータユニットと同様である。追加プリアンブル部は、（例えば、ＩＥＥＥ８０２．１１ｂ規格に従うＳＹＮＣフィールドと同様の）ＳＹＮＣフィールドを含み、いくつかの実施形態においては、（例えば、ＩＥＥＥ８０２．１１ｂ規格に従うＳＦＤフィールドと同様の）ＳＦＤフィールドを含む。これらの実施例において、ＳＹＮＣフィールド及び／又はＳＦＤフィールドは、データユニットのＯＦＤＭ部のクロックレートを反映するよう設計される。集合した複数の２０ＭＨｚチャネルを介する（例えば、４０ＭＨｚ、８０ＭＨｚ、１６０ＭＨｚなどのチャネルを介する）送信のためにデータユニットが生成されるいくつかの実施形態において、追加プリアンブル部は、各２０ＭＨｚのサブ帯域において繰り返される。
【００８３】
追加プリアンブル部は、いくつかの実施形態において、データユニットのＯＦＤＭ部より低いレートでサンプリング又はクロックされる。例えば、１つの実施形態において、追加プリアンブル部は、データユニットのＯＦＤＭ部のために用いられるダウンクロック比に等しいダウンクロック比Ｎにより、１１ＭＨｚのＩＥＥＥ８０２．１１ｂレートからダウンクロックされる。別の例として、別の実施形態において、追加プリアンブル部は、通常の（ダウンクロックされていない）ＯＦＤＭ部のおよそ２／３のクロックレートでサンプリング又はクロックされる。ＯＦＤＭ部と異なるレートで追加プリアンブル部がサンプリング又はクロックされるいくつかの実施形態において、追加プリアンブル部とＯＦＤＭ部との間のＳＣ／ＯＦＤＭ境界線に対する１つ又は複数の特定の要求が満たされている。例えば、一実施形態において、ＩＥＥＥ８０２．１１ｇ規格において規定されているＳＣ／ＯＦＤＭ境界線要求が満たされている。
【００８４】
図１０‐１２のプリアンブル設計は、様々な実施形態又はシナリオにおいて、通信デバイス（例えば、図１のＡＰ１４及び／又はクライアント局２５）により、通信チャネルを通じて送信され及び／又は受信された複数のデータユニットにおいて利用される。図１０‐１２のそれぞれは、２つのプリアンブル例を示し、各プリアンブル例は、ＯＦＤＭ部の特定のクロックレートに対応するＰＨＹモードを反映する。１つの実施形態において、ＡＰ（例えば、ＡＰ１４）が、例示的なプリアンブルの両方を生成することができる（すなわち、ＡＰは、異なる複数のクロックレートに対応する複数のＰＨＹモードをサポートする）一方、各クライアント局（例えば、複数のクライアント局２５のそれぞれ）は、例示的なプリアンブルのうちの１つのみを生成することができる（すなわち、各クライアント局は、単一クロックレートに対応するＰＨＹモードのみをサポートする）。別の実施形態において、ＡＰ及び１つ又は複数のクライアント局の両方とも、例示的なプリアンブルの両方を生成することができる。
【００８５】
いくつかの実施形態において、図１０‐１２のプリアンブルは、示されているものとは異なる複数の種類及び／又はフィールド数を含む。例えば、一実施形態において、複数の追加フィールドは、追加プリアンブル部とＳＴＦとの間（又は、ＳＴＦを有さない複数の実施形態においては、追加プリアンブル部とＬＴＦとの間）で含まれる。いくつかの実施形態において、複数のプリアンブルは、図２‐５に関連して上にて検討されているプリアンブルのうちの何れか１つと同じであるが、プリアンブルの開始時に追加されている、図１０‐１２に関連して以下にて説明される追加プリアンブル部のうちの１つを有する。例えば、様々な実施形態において、追加プリアンブル部は、図２のＬ‐ＳＴＦ１０２、図３のＬ‐ＳＴＦ１２２、図４のＨＴ‐ＧＦ‐ＳＴＦ１４２、又は図５のＬ‐ＳＴＦ１７２の前に追加される。さらに、図１０‐１２はそれぞれ、２つの可能なクロックレートのみに対応する複数のプリアンブルを示す一方、当業者は、以下にて説明される複数のプリアンブル設計及び複数の自動検出技術が、異なる複数のクロックレートを有する３つ以上の共存するＰＨＹモードを含む複数のシステムに拡張され得ることを理解するであろう。
【００８６】
（図１０に関連して検討される）第４実施例において、プリアンブルは、対応するデータユニットのＯＦＤＭ部のクロックレートに関係なく、一定のクロックレートを用いて生成されるＳＹＮＣフィールドを含む。しかしながら、ＳＹＮＣフィールドは、ＯＦＤＭ部のクロックレートに基づき特定の長さを有し、受信機がＳＹＮＣフィールドに基づき複数のクロックレート間を区別することを可能にする。図１０を参照すると、第１プリアンブル６００が、第１クロックレート（例えば、様々な実施形態において、ＩＥＥＥ８０２．１１ａ、８０２．１１ｎ、又は８０２．１１ａｃのデータユニットの通常のクロックレート）でクロックされるＯＦＤＭ部を有する複数のデータユニットに含まれる。プリアンブル６００は、第１プリアンブル部６１０（すなわち、「追加プリアンブル」部）及び第２プリアンブル部６１２を含む。第１プリアンブル部６１０は、ＳＹＮＣフィールド６１４とＳＦＤフィールド６１６とを含む。一実施形態において、第１プリアンブル部はバーカーコード（Ｂａｒｋｅｒ  ｃｏｄｅ）の複数の繰り返しを含む。第２プリアンブル部６１２は、データユニットのＯＦＤＭ部に含まれ、ＳＴＦ６２０と、１つ又は複数のＬＴＦ及びＳＩＧフィールドを有するプリアンブル部６２２とを含む。いくつかの実施形態において、データユニットのＯＦＤＭ部はまた、データ部（図１０に図示せず）を含む。代替的な実施形態において、プリアンブル６００は、ＳＦＤフィールド６１６を含まない。別の代替的な実施形態において、ＳＦＤフィールド６１６は、プリアンブル６００に含まれるが、ＳＴＦ６２０は含まれていない。
【００８７】
第２プリアンブル６３０が、第１クロックレートより低い第２クロックレートでクロックされるＯＦＤＭ部を有する複数のデータユニットに含まれる。例えば、一実施形態において、プリアンブル６３０を有するデータユニットのＯＦＤＭ部は、（例えば、一実施形態において、Ｎ＝４を用いて第１クロックレートからダウンクロックすることによって、）プリアンブル６００を有するデータユニットのＯＦＤＭ部のクロックレートの１／４に等しいレートでクロックされる。他の実施形態において、第２クロックレートは、異なる適した比率により第１クロックレートと異なる（例えば、様々な実施形態において、Ｎ＝２、８、１０、１６などのダウンクロック比が用いられる）。プリアンブル６００と同様に、プリアンブル６３０は、第１プリアンブル部６４０と第２プリアンブル部６４２とを含み、第１プリアンブル部６４０は、ＳＹＮＣフィールド６４４とＳＦＤフィールド６４６とを含む。またプリアンブル６００と同様に、第２プリアンブル部６４２は、ＯＦＤＭ部に含まれ、ＳＴＦ６５０と、１つ又は複数のＬＴＦ及びＳＩＧフィールドを有するプリアンブル部６５２とを含む。さらに、一実施形態において、プリアンブル６３０の第１プリアンブル部６４０は、プリアンブル６００の第１プリアンブル部６１０と同じクロックレートでクロックされる（例えば、様々な実施形態に従って、両方とも第１クロックレートでクロックされ、又は、両方とも第２クロックレートでクロックされる）。しかしながら、ＳＹＮＣフィールド６４４は、プリアンブル６００のＳＹＮＣフィールド６１４より長い。１つの実施形態において、ＳＹＮＣフィールド６４４は、ＳＹＮＣフィールド６１４における同じバーカーコードの繰り返し数より大きいバーカーコードの繰り返し数を含む。例えば、第１クロックレートが第２クロックレートよりＮ倍大きい場合、ＳＹＮＣフィールド６４４は、ＳＹＮＣフィールド６１４における同じバーカーコードの繰り返し数よりＮ倍大きい、バーカーコードの繰り返し数を含む。いくつかの実施形態において、ＳＦＤフィールドはまた、第１及び第２クロックレート間を区別するよう利用される。これらの実施形態において、プリアンブル６３０のＳＦＤフィールド６４６が、プリアンブル６００のＳＦＤフィールド６１６と異なる。
【００８８】
一実施形態において、プリアンブル６００を有する複数のデータユニットと、プリアンブル６３０を有する複数のデータユニットとを受信する通信デバイスは、ＯＦＤＭ部において複数のＯＦＤＭシンボルを復調する前に、ＯＦＤＭ部のクロックレートを決定するよう、プリアンブル６００及びプリアンブル６３０の異なる複数のＳＹＮＣフィールド（いくつかの実施形態においては、異なる複数のＳＦＤフィールド）を利用する。いくつかの実施形態において、受信機は、どのＳＹＮＣフィールド（従って、どのＯＦＤＭ部クロックレート）が、受信されたパケットにおいて用いられるかを検出するよう、自己相関を実行する。
【００８９】
（図１１に関連して検討される）第５実施例において、対応するデータユニットのＯＦＤＭ部のクロックレートに関係なく、プリアンブルは再び、一定のクロックレートを用いて生成されるＳＹＮＣフィールドを含む。しかしながら、ＳＹＮＣフィールドは、ＯＦＤＭ部のクロックレートに基づき特定の繰り返されたシーケンスを含み、受信機がＳＹＮＣフィールドに基づき複数のクロックレート間を区別することを可能にする。図１１を参照すると、第１プリアンブル７００が、第１クロックレート（例えば、様々な実施形態において、ＩＥＥＥ８０２．１１ａ、８０２．１１ｎ、又は８０２．１１ａｃのデータユニットの通常のクロックレート）でクロックされるＯＦＤＭ部を有する複数のデータユニットに含まれる。プリアンブル７００は、第１プリアンブル部７１０（すなわち、「追加プリアンブル」部）及び第２プリアンブル部７１２を含む。第１プリアンブル部７１０は、ＳＹＮＣフィールド７１４と、開始フレームデリミタフィールドＳＦＤフィールド７１６とを含む。ＳＹＮＣフィールド７１４は、第１繰り返しシーケンス（Ｇａ）を含む。一実施形態において、第１繰り返しシーケンスは第１ゴレイシーケンス（Ｇｏｌａｙ  ｓｅｑｕｅｎｃｅ）である。第２プリアンブル部７１２は、データユニットのＯＦＤＭ部に含まれ、ＳＴＦ７２０と、１つ又は複数のＬＴＦ及びＳＩＧフィールドを有するプリアンブル部７２２とを含む。いくつかの実施形態において、データユニットのＯＦＤＭ部はまた、（図１１に図示せず）データ部を含む。代替的な実施形態において、プリアンブル７００は、ＳＦＤフィールド７１６を含まない。別の代替的な実施形態において、ＳＦＤフィールド７１６は、プリアンブル７００に含まれるが、ＳＴＦ７２０は含まれていない。
【００９０】
第２プリアンブル７３０が、第１クロックレートより低い第２クロックレートでクロックされるＯＦＤＭ部を有する複数のデータユニットに含まれる。例えば、一実施形態において、プリアンブル７３０を有するデータユニットのＯＦＤＭ部は、（例えば、一実施形態において、Ｎ＝４を用いて第１クロックレートからダウンクロックすることによって）プリアンブル７００を有するデータユニットのＯＦＤＭ部のクロックレートの１／４に等しいレートでクロックされる。他の実施形態において、第２クロックレートは、異なる適した比率により第１クロックレートと異なる（例えば、様々な実施形態において、Ｎ＝２、８、１０、１６などのダウンクロック比が用いられる）。プリアンブル７００と同様に、プリアンブル７３０は、第１プリアンブル部７４０と第２プリアンブル部７４２とを含み、第１プリアンブル部７４０は、ＳＹＮＣフィールド７４４を含む。またプリアンブル７００と同様に、第２プリアンブル部７４２は、ＯＦＤＭ部に含まれ、ＳＴＦ７５０と、１つ又は複数のＬＴＦ及びＳＩＧフィールドを有するプリアンブル部７５２とを含む。さらに、一実施形態において、プリアンブル７３０の第１プリアンブル部７４０は、プリアンブル７００の第１プリアンブル部７１０として、同じクロックレートでクロックされる（例えば、様々な実施形態に従って、両方とも第１クロックレートでクロックされ、又は両方とも第２クロックレートでクロックされる）。しかしながら、ＳＹＮＣフィールド７４４は、第１繰り返しシーケンスＧａと異なる第２繰り返しシーケンス（Ｇｂ）を含む。いくつかの実施形態において、第２繰り返しシーケンスは、第１ゴレイシーケンスとは相補的な第２ゴレイシーケンスである。いくつかの実施形態において、複数のシーケンスＧａ及びＧｂは、複数のゴレイシーケンスではなく、適した相補的シーケンスである。一実施形態において、複数の相補的シーケンスＧａ及びＧｂは選択され、これにより、複数のシーケンスＧａ及びＧｂの、位相はずれの対応する非周期的自己相関係数の和がゼロとなる。いくつかの実施形態において、複数の相補的シーケンスＧａ及びＧｂは、ゼロ又はほぼゼロの周期的相互相関を有する。別の態様において、複数のシーケンスＧａ及びＧｂは、狭いメインローブ及び低レベルのサイドローブを有する非周期的相互相関、又は、狭いメインローブ及び低レベルのサイドローブを有する非周期的自己相関を有する。 
【００９１】
一般的に、ＳＹＮＣフィールド７１４及びＳＹＮＣフィールド７４４の２つの相補的シーケンスは、受信デバイスでの検出に適した相関特性を有する。シーケンスがゴレイシーケンスである複数の実施形態において、長さ１６、３２、６４、１２８のゴレイシーケンス、又は任意の他の適した長さが、複数の相補的シーケンスのために利用される。一実施形態において、ＩＥＥＥ８０２．１１ａｄ規格において規定されているものと同じ方式で、π／２チップレベルの回転が、ゴレイコードシーケンスに適用される。
【００９２】
プリアンブル７３０はまた、いくつかの実施形態においてはＳＦＤフィールド７１６と異なる開始フレームデリミタフィールドＳＦＤフィールド７４６を含む。プリアンブル７００はＳＦＤフィールド７１６を含まない代替的な実施形態において、プリアンブル７３０は、ＳＦＤフィールド７４６を含まない。プリアンブル７００は、ＳＦＤフィールド７１６を含むが、ＳＴＦ７２０を含まない別の代替的な実施形態において、プリアンブル７３０は、ＳＦＤフィールド７４６を含み、ＳＴＦ７５０を含まない。一実施形態において、ＳＦＤフィールド７１６及びＳＦＤフィールド７４６の両方はそれぞれ、ＳＹＮＣフィールドにおいて繰り返されるが、符号フリップにより増加される（すなわち、例えば、‐Ｇａ又は‐Ｇｂなどの逆極性である）１つ又は複数のシーケンス（例えば、複数のゴレイシーケンス）を含む。別の実施形態において、ＳＦＤフィールド７１６及びＳＦＤフィールド７４６の両方とも、ＳＹＮＣフィールドの繰り返されたシーケンスとは相補的なシーケンスを含む。例えば、一実施形態において、プリアンブル７３０のＳＦＤフィールド７４６は、プリアンブル７００のＳＹＮＣフィールド７１４において利用される第１ゴレイシーケンスを含み、プリアンブル７００のＳＦＤフィールド７１６は、プリアンブル７３０のＳＹＮＣフィールド７４４において利用される第２ゴレイシーケンスを含む。
【００９３】
一実施形態において、プリアンブル７００を有する複数のデータユニットと、プリアンブル７３０を有する複数のデータユニットとを受信する通信デバイスが、ＯＦＤＭ部における複数のＯＦＤＭシンボルを復調する前に、ＯＦＤＭ部のクロックレートを決定するよう、プリアンブル７００及びプリアンブル７３０の異なる複数のＳＹＮＣフィールド（いくつかの実施形態において、異なる複数のＳＦＤフィールド）を利用する。いくつかの実施形態において、受信機は、複数の並列相互相関を実行し、そのそれぞれは、受信されたシーケンスを、複数の可能なＳＹＮＣフィールドシーケンスのうちの１つと相関させ、どのＳＹＮＣフィールド（従って、ＯＦＤＭ部クロックレート）が受信されたパケットにおいて用いられるかを決定するよう、複数の相互相関の出力を比較する。
【００９４】
（図１２に関連して検討される）第６実施例において、プリアンブルは、ＯＦＤＭ部クロックレートに基づき変更されないＳＹＮＣフィールドを含む。しかしながら、プリアンブルは、各異なるクロックレートに対して異なるＳＦＤフィールドを含む。図１２を参照すると、第１プリアンブル８００が、第１クロックレート（例えば、様々な実施形態において、ＩＥＥＥ８０２．１１ａ、８０２．１１ｎ、又は８０２．１１ａｃのデータユニットの通常のクロックレート）でクロックされるＯＦＤＭ部を有する複数のデータユニットに含まれる。プリアンブル８００は、第１プリアンブル部８１０（すなわち、「追加プリアンブル」部）及び第２プリアンブル部８１２を含む。第１プリアンブル部８１０は、ＳＹＮＣフィールド８１４と第１開始フレームデリミタ（ＳＦＤ１）フィールド８１６を含む。第２プリアンブル部８１２は、データユニットのＯＦＤＭ部に含まれ、ＳＴＦ８２０と、１つ又は複数のＬＴＦ及びＳＩＧフィールドを有するプリアンブル部８２２とを含む。いくつかの実施形態において、データユニットのＯＦＤＭ部はまた、データ部（図１２に図示せず）を含む。代替的な実施形態において、プリアンブル８００は、ＳＴＦ８２０を含まない。
【００９５】
第２プリアンブル８３０が、第１クロックレートより低い第２クロックレートでクロックされるＯＦＤＭ部を有する複数のデータユニットに含まれる。例えば、一実施形態において、プリアンブル８３０を有するデータユニットのＯＦＤＭ部は、（例えば、一実施形態において、Ｎ＝４を用いて第１クロックレートからダウンクロックすることによって）プリアンブル８００を有するデータユニットのＯＦＤＭ部のクロックレートの１／４に等しいレートでクロックされる。複数の他の実施形態において、第２クロックレートは、異なる適した比率により第１クロックレートと異なる（例えば、様々な実施形態において、Ｎ＝８、１０、１６などのダウンクロック比が用いられる）。プリアンブル８００と同様に、プリアンブル８３０は、第１プリアンブル部８４０及び第２プリアンブル部８４２を含み、第１プリアンブル部８４０は、ＳＹＮＣフィールド８４４を含む。またプリアンブル８００と同様に、第２プリアンブル部８４２は、ＯＦＤＭ部に含まれ、ＳＴＦ８５０と、１つ又は複数のＬＴＦ及びＳＩＧフィールドを有するプリアンブル部８５２とを含む。さらに、一実施形態において、プリアンブル８３０の第１プリアンブル部８４０は、プリアンブル８００の第１プリアンブル部８１０と同じクロックレートでクロックされる（例えば、様々な実施形態に従って、両方とも第１クロックレートでクロックされ、又は、両方とも第２クロックレートでクロックされる）。しかしながら、第１プリアンブル部８４０は、ＳＦＤ１フィールド８１６と異なる第２開始フレームデリミタ（ＳＦＤ２）フィールド８４６を含む。例えば、１つの実施形態において、ＳＦＤ１フィールド８１６は、ＳＹＮＣフィールド８１４において繰り返されるが、符号フリップを有する１つ又は複数のシーケンスを含む一方、ＳＦＤ２フィールド８４６は、符号フリップを有さない１つ又は複数のシーケンスを含む。別の例として、１つの実施形態において、ＳＦＤ１フィールド８１６は、ＳＦＤ２フィールド８４６において１回又は複数回繰り返されているシーケンスと異なるシーケンスの１つ又は複数の繰り返しを含む。
【００９６】
一実施形態において、プリアンブル８００を有する複数のデータユニットと、プリアンブル８３０を有する複数のデータユニットとを受信する通信デバイスが、ＯＦＤＭ部における複数のＯＦＤＭシンボルを復調する前に、ＯＦＤＭ部のクロックレートを決定するよう、プリアンブル８００及びプリアンブル８３０の異なる複数のＳＦＤフィールドを利用する。ＳＦＤ１フィールド８１６及びＳＦＤ２フィールド８４６が異なるシーケンスを含む、又は、ＳＦＤ２フィールド８４６がＳＦＤ１フィールド８１６と同じシーケンスを含むが、符号フリップを有するいくつかの実施形態において、受信機は、どのＳＦＤ（従って、どのＯＦＤＭ部）が受信されたパケットにおいて用いられるかを検出するよう、複数の並列相互相関を実行する。
【００９７】
図１３は、一実施形態に係る、プリアンブル設計の（その実施例のそれぞれが図７‐１２に示されている）第１、第２、第３、第４、第５、又は第６例に従ってデータユニットを生成する方法例９００のフロー図である。いくつかの実施形態において、図１のＡＰ１４などのＡＰ（及び／又はクライアント局２５‐１などのクライアント局）は、通信チャネルを通じた送信のためのデータユニットを生成するべく、方法９００を実装するよう構成される。
【００９８】
ブロック９０２では、第１プリアンブル部がＰＨＹモードに基づき、生成させる。より具体的には、第１プリアンブル部は、少なくともＰＨＹモードが第１ＰＨＹモード又は第２ＰＨＹモードであるかに基づき、生成される。一実施形態において、第１及び第２ＰＨＹモードは、通信プロトコルの複数の特定の通信プロトコル又は特定のモードに対応する。例えば、１つの実施形態において、第１ＰＨＹモードは、ショートレンジの通信プロトコルに対応し、第２ＰＨＹモードはロングレンジの通信プロトコルに対応する。別の例として、一実施形態において、第１ＰＨＹモードは、ロングレンジの通信プロトコルの通常モードに対応し、第２ＰＨＹモードは、ロングレンジの通信プロトコルの拡張範囲モードに対応する。別の例として、一実施形態において、第１ＰＨＹモードは、ショートレンジの通信プロトコルの通常モードに対応し、第２ＰＨＹモードは、ショートレンジの通信プロトコルの拡張範囲モードに対応する。いくつかの実施形態において、第１プリアンブル部はまた、ＰＨＹモードが１つ又は複数の他の可能なＰＨＹモード（例えば、第３ＰＨＹモード、第４ＰＨＹモードなど）であるかに基づき、生成される。例えば、一実施形態において、第１ＰＨＹモードは、ショートレンジの通信プロトコルに対応し、第２ＰＨＹモードは、ロングレンジの通信プロトコルの通常モードに対応し、第３ＰＨＹモードは、ロングレンジの通信プロトコルの拡張範囲モードに対応する。
【００９９】
いくつかの実施形態において、第１プリアンブル部は、ＯＦＤＭ変調である。例えば、一実施形態において、第１プリアンブル部は、ＯＦＤＭ変調ＳＴＦを含む。他の実施形態において、第１プリアンブル部は、ＳＣモジュレーションを用いる。例えば、一実施形態いおいて、第１プリアンブル部は、ＳＣ  ＳＹＮＣ  フィールドを含む。ＰＨＹモードに基づく複数の第１プリアンブル部の複数のより具体的な例は、図１５、１７、１９、２１、及び２３に関連して以下にて説明される。
【０１００】
ブロック９０４では、ＯＦＤＭ部が、ＰＨＹモードに基づき、第１クロックレート又は第２クロックレートを用いて生成される。より具体的には、ＯＦＤＭ部は、ＰＨＹモードが第１ＰＨＹモードである場合に、第１クロックレートでクロックされ、ＰＨＹモードが第２ＰＨＹモードである場合には、第２クロックレートでクロックされる。第２クロックレートは、（例えば、いくつかの実施形態においては、整数のファクタＮにより）第１クロックレートより低い。ＯＦＤＭ部は、生成されているデータユニットにおける第１プリアンブル部に続き、１つ又は複数のＬＴＦを含む第２プリアンブル部を有する。いくつかの実施形態において、ＯＦＤＭ部はまた、データユニットのデータ部を含む。いくつかの実施形態において、ＯＦＤＭ部は、図２‐５に関連して説明されているショートレンジのデータユニット又はロングレンジのデータユニットの対応する部分と同じである。これらの実施形態のいくつかにおいて、ＯＦＤＭ部の設計は、ＰＨＹモードに基づく。
【０１０１】
図１３は、方法９００におけるブロック９０２及び９０４のみを示しているが、いくつかの実施形態では、複数の追加の方法要素を備える。例えば、一実施形態において、ブロック９０４後に、第３の方法要素が、通信チャネル（例えば、無線通信チャネル）を介して、生成された第１プリアンブル部と生成されたＯＦＤＭ部とを含むデータユニットを送信する段階を含む。さらに、方法例９００のフロー図において、ブロック９０４は、ブロック９０２より後に示されているが、他の実施形態において、ブロック９０４は、ブロック９０２の前に、又はそれと同時に発生する。
【０１０２】
図１４は、一実施形態に係る、プリアンブル設計の（その実施例のそれぞれが図７‐１２に示されている）第１、第２、第３、第４、第５、又は第６例に従って生成されるデータユニットのクロックレートを自動検出する方法例９１０のフロー図である。いくつかの実施形態において、図１のＡＰ１４などのＡＰ（及び／又はクライアント局２５‐１などのクライアント局）が、方法９１０を実装するよう構成される。
【０１０３】
ブロック９１２では、データユニットが、通信チャネルを介して受信される。方法９１０が、図１のＡＰ１４などのＡＰにより実装される一実施形態において、データユニットは、図１の１つ又は複数のアンテナ２４などのアンテナ、及び図１のＰＨＹユニット２０などのＰＨＹユニットを介して受信される。方法９１０が図１のクライアント局２５‐１などのクライアント局により実装される一実施形態において、データユニットは、図１の１つ又は複数のアンテナ３４などのアンテナ、及び図１のＰＨＹユニット２９などのＰＨＹユニットを介して受信される。一実施形態において、通信チャネルは、無線通信チャネルである。
【０１０４】
ブロック９１２で受信されたデータユニットは、第１プリアンブル部と、第１プリアンブル部に続くＯＦＤＭ部とを含む。データユニットのＯＦＤＭ部は、１つ又は複数のＬＴＦを含む第２プリアンブル部を有する。様々な実施形態によれば、受信されたデータユニットは、図７‐１２のうちの何れか１つに関連して説明されているプリアンブル設計を有するデータユニットである。さらに、又は代替的に、様々な実施形態によれば、受信されたデータユニットは、以下にて説明される図１５、１７、１９、２１、又は２３のうちの何れか１つの方法に従って生成されるデータユニットである。
【０１０５】
ブロック９１４では、ブロック９１２で受信されたデータユニットのＯＦＤＭ部のクロックレートが、データユニットの第１プリアンブル部に基づき、自動検出され、又は決定される。より具体的には、一実施形態において、クロックレートが第１ＰＨＹモードに対応する第１クロックレートであるか、又は第２ＰＨＹモードに対応するより低い第２クロックレートであるかが決定される。様々な実施形態において、複数のＰＨＹモードは、図１３における方法９００のブロック９０２に関連して説明されている複数のＰＨＹモードのうちの何れかと同様である。ＯＦＤＭ部のクロックレートがどのように決定されるかについての複数のより具体的な例は、図１６、１８、２０、２２、及び２４に関連して以下にて説明される。 
【０１０６】
図１４は、方法９１０におけるブロック９１２及び９１４のみを示しているが、いくつかの実施形態は、複数の追加の方法要素を備える。さらに、方法９１０が、第１又は第２クロックレートを決定することに関連して説明されている一方、いくつかの実施形態は、クロックレートが第３クロックレートであるか、又は第４クロックレートであるかなどを（ブロック９１４で）さらに決定する。
【０１０７】
図１５は、一実施形態に係る、プリアンブル設計の（その実施例が図７に示されている）第１例に係るデータユニットを生成する方法例９２０のフロー図である。いくつかの実施形態において、図１のＡＰ１４などのＡＰ（及び／又はクライアント局２５‐１などのクライアント局）が、通信チャネルを通じた送信のためのデータユニットを生成する方法９２０を実装するよう構成される。
【０１０８】
ブロック９２２では、方法９２０を実装する通信デバイスのＰＨＹモードが、第１ＰＨＹモード又は第２ＰＨＹモードであるかが決定される。一実施形態において、第１及び第２ＰＨＹモードは、図１３における方法９００のブロック９０２に関連して上にて説明されているような通信プロトコルの複数の特定の通信プロトコル又は特定のモードに対応する。 
【０１０９】
ＰＨＹモードが第１ＰＨＹモードであるとブロック９２２で決定された場合、フローはブロック９２４へ進む。ブロック９２４では、第１プリアンブル部が、第１ＰＨＹモードに対応する第１クロックレートを用いて生成される。様々な実施形態において、第１プリアンブル部は、ＯＦＤＭ変調され（例えば、一実施形態においては、ＯＦＤＭ変調ＳＴＦを含み）、又は、一実施形態において、ＳＣモジュレーションを用いる（例えば、ＳＣ  ＳＹＮＣ  フィールドを含む）。 
【０１１０】
ブロック９２６では、ＯＦＤＭ部が第１クロックレートを用いて生成される。ＯＦＤＭ部は、生成されているデータユニットにおける第１プリアンブル部に続き、１つ又は複数のＬＴＦを含む第２プリアンブル部を有する。一実施形態において、ＯＦＤＭ部はまた、データユニットのデータ部を含む。いくつかの実施形態において、ＯＦＤＭ部は、図２‐５に関連して説明されているようなショートレンジのデータユニット又はロングレンジのデータユニットの対応する部分と同じである。これらの実施形態のいくつかにおいて、ＯＦＤＭ部の設計は、ブロック９２２で決定されたＰＨＹモードに基づく。
【０１１１】
一方、ＰＨＹモードが第２ＰＨＹモードであるとブロック９２２で決定された場合、フローはブロック９３０へ進む。ブロック９３０で、第１プリアンブル部が、第２ＰＨＹモードに対応する第２クロックレートを用いて生成される。いくつかの実施形態において、ブロック９３０で生成された第１プリアンブル部は、第１プリアンブル部のクロックレート（従って、その長さ）を除き、ブロック９２４で生成された第１プリアンブル部と同じ、又は同様である。例えば、一実施形態において、ブロック９３０で生成されている第１プリアンブル部は、同じ種類の変調（例えば、ＯＦＤＭ、ＳＣなど）を用い、ブロック９２４で生成された第１プリアンブル部と同じ繰り返しシーケンス及び同じシーケンスの繰り返し数を含む。第２クロックレートは、第１クロックレートより低い（例えば、いくつかの実施形態において、整数のファクタＮにより）。
【０１１２】
ブロック９３２では、ＯＦＤＭ部は、第２クロックレートを用いて生成される。ＯＦＤＭ部は、生成されているデータユニットにおける第１プリアンブル部に続き、１つ又は複数のＬＴＦを含む第２プリアンブル部を有する。いくつかの実施形態において、ブロック９３２で生成されたＯＦＤＭ部は、ＯＦＤＭ部のクロックレート（従って、その長さ）を除き、ブロック９２６で生成されたＯＦＤＭ部と同じである。
【０１１３】
いくつかの実施形態において、図１５の方法９２０は、示されていない複数の追加の方法要素を含む。例えば、一実施形態において、ブロック９２６後及びブロック９３２後に、追加の方法要素は、通信チャネル（例えば、無線通信チャネル）を介して、生成された第１プリアンブル部及び生成されたＯＦＤＭ部の両方を含むデータユニット送信する段階を含む。さらに、方法例９２０のフロー図において、ブロック９２６及び９３２はそれぞれ、ブロック９２４及び９３０より後に示されているが、他の実施形態において、ブロック９２６及び９３２は、ブロック９２４及び９３０の前に、又はそれらと同時に発生する。
【０１１４】
図１６は、一実施形態に係る、プリアンブル設計の（その実施例が図７に示されている）第１例に従って生成されたデータユニットのクロックレートを自動検出する方法例９４０のフロー図である。いくつかの実施形態において、図１のＡＰ１４などのＡＰ（及び／又はクライアント局２５‐１などのクライアント局）が、方法９４０を実装するよう構成される。
【０１１５】
ブロック９４２では、データユニットが、通信チャネルを介して受信される。いくつかの実施形態において、ブロック９４２は、図１４における方法９１０のブロック９１２と同様である。ブロック９４２で受信されたデータユニットは、第１プリアンブル部と、第１プリアンブル部に続くＯＦＤＭ部とを含む。データユニットのＯＦＤＭ部は、１つ又は複数のＬＴＦを含む第２プリアンブル部を有する。様々な実施形態によれば、受信されたデータユニットは、図７に関連して説明されているプリアンブル設計を有するデータユニットである。さらに、又は代替的に、様々な実施形態によれば、受信されたデータユニットは、図１５の方法９００に従って生成されるデータユニットである。 
【０１１６】
ブロック９４４では、ブロック９４２で受信されたデータユニットの少なくとも第１プリアンブル部の第１自己相関が実行され、第１自己相関は、第１繰り返し期間を用いて実行されて第１キャリアセンス信号を出力する。一実施形態において、第１繰り返し期間は、第１プリアンブル部における繰り返しシーケンスの第１ポテンシャル長と同じである。例えば、図７に示されているプリアンブル設計例に対して、第１繰り返し期間は、０．８μｓ又は別の適した持続時間に等しい。
【０１１７】
ブロック９４８では、ブロック９４２で受信されたデータユニットの少なくとも第１プリアンブル部の第２自己相関が実行され、第２自己相関は、第２繰り返し期間を用いて実行されて第２キャリアセンス信号を出力する。一実施形態において、第２繰り返し期間は、第１プリアンブル部における繰り返しシーケンスの第２ポテンシャル長と同じであり、第１ポテンシャル長とは異なる。例えば、図７に示されているプリアンブル設計例に対して、第２繰り返し期間は、３．２μｓ又は別の適した持続時間に等しい。一実施形態において、ブロック９４４の第１自己相関は、ブロック９４８で、少なくとも部分的に第２自己相関と並列して実行される。
【０１１８】
ブロック９５０では、第１自己相関及び第２自己相関の両方ともキャリアの存在を示すか（例えば、一実施形態において、第１キャリアセンス信号及び第２キャリアセンス信号がキャリアの存在を示すか）が決定される。例えば、一実施形態において、第１キャリアセンス信号及び第２キャリアセンス信号の両方が、「高」レベル（又は、比較的強い自己相関の任意の他のインジケータ）にあるかが決定される。 
【０１１９】
第１自己相関及び第２自己相関の両方がキャリアの存在を示すとブロック９５０で決定された場合、フローはブロック９５２へ進む。ブロック９５２では、ブロック９４２で受信されたデータユニットのＯＦＤＭ部のクロックレートは、第１キャリアセンス信号のパルス長さ（すなわち、第１自己相関出力）、及び／又は、第２キャリアセンス信号のパルス長さ（すなわち、第２自己相関出力）に基づき、決定される。一実施形態において、ＯＦＤＭ部のクロックレートは、第１キャリアセンス信号及び／又は第２キャリアセンス信号が、第１延べ時間（例えば、０．８μｓ）において「高」レベル（又は、比較的強い自己相関の任意の他の適したインジケータ）にある場合に、第１クロックレートであると決定され、第１キャリアセンス信号及び／又は第２キャリアセンス信号が、より長い第２延べ時間（例えば、３．２μｓ）において、「高」レベル（又は、比較的強い自己相関の任意の他の適したインジケータ）にある場合には、より低い第２クロックレートであると決定される。いくつかの実施形態において、ブロック９５０での決定は、第１及び／又は第２キャリアセンス信号のパルス長さが、第１長さ範囲（例えば、１０μｓより小さい）、又は第２長さ範囲（例えば、１０μｓより大きい）にあるかを決定することによって、実行される。一実施形態において、第１及び第２キャリアセンス信号のパルス長さは、１）キャリアのセンシングと、２）受信されたデータユニットの第１プリアンブル部から受信されたデータユニットの第２プリアンブル部への遷移の検出との間の延べ時間に対応する。
【０１２０】
一方、第１自己相関出力又は第２自己相関出力が（その両方ではなく）、キャリアの存在を示していないとブロック９５０で決定された場合、フローはブロック９５４へ進む。ブロック９５４では、ブロック９４２で受信されたデータユニットのＯＦＤＭ部のクロックレートが、どの自己相関がキャリアの存在を示すかに基づき、決定される。例えば、一実施形態において、ＯＦＤＭ部のクロックレートは、（第２ではなく）第１自己相関が、キャリアセンスを示す場合には、第１クロックレートであると決定され、（第１ではなく）第２自己相関が、キャリアセンスを示す場合には、より低い第２クロックレートであると決定される。
【０１２１】
いくつかの実施形態において、方法９４０は、図１６に示されていない複数の追加の方法要素を含む。例えば、一実施形態において、方法９４０は、ブロック９４２でデータユニットを受信する段階の前に、受信されたデータユニットの第１のより高いポテンシャルクロックレートに対応する受信機クロックレートを提供する段階を備える。さらに、方法９４０が、第１及び第２クロックレートを決定する段階に関連して説明されている一方、いくつかの実施形態は、（例えば、ブロック９４４及び９４８と同様の）第３クロックレート、及び第４クロックレートなどに対応する複数の追加の方法要素を含み、ＯＦＤＭ部のクロックレートがこれらの追加のポテンシャルクロックレートのうちの１つであるかどうかがまた、ブロック９５２又は９５４で決定される。第３又はそれ以降のクロックレートを利用する複数の実施形態において、ブロック９５０は、１つより多くの自己相関出力が、キャリアの存在を示すかを決定するよう修正され、ブロック９５２あ、、第３又はそれ以降の自己相関出力を考慮するよう修正される。
【０１２２】
図１７は、一実施形態に係る、プリアンブル設計の（その実施例が図８において示されている）第２例に係るデータユニットを生成する方法例９６０のフロー図である。いくつかの実施形態において、図１のＡＰ１４などのＡＰ（及び／又はクライアント局２５‐１などのクライアント局）が、通信チャネルを通じた送信のためのデータユニットを生成するべく、方法９６０を実装するよう構成される。
【０１２３】
ブロック９６２では、方法９６０を実装する通信デバイスのＰＨＹモードが第１ＰＨＹモード又は第２ＰＨＹモードであるかが決定される。様々な実施形態において、ブロック９６２は、図１５における方法９２０のブロック９２２と同様である。 
【０１２４】
ＰＨＹモードが第１ＰＨＹモードであるとブロック９６２で決定された場合、フローは、ブロック９６４へ進む。ブロック９６４では、シーケンスの第１繰り返し数（すなわち、１つ又は複数の繰り返し）が、第１プリアンブル部において生成される。いくつかの実施形態において、第１プリアンブル部は、第１ＰＨＹモードにある場合に、ＯＦＤＭ部のクロックレートに対応する第１クロックレートを用いて生成される一方、複数の他の実施形態において、第１プリアンブル部は、第２ＰＨＹモードにある場合に、ＯＦＤＭ部のクロックレートに対応する第２クロックレートを用いて生成される。一実施形態において、第１プリアンブル部の繰り返された複数のシーケンスは、ＯＦＤＭ変調される（例えば、一実施形態において、ＳＴＦのＯＦＤＭ変調シーケンスである）。
【０１２５】
ブロック９６８では、ＯＦＤＭ部は、第１クロックレートを用いて生成される。様々な実施形態において、ブロック９６８は、図１５の方法９２０のブロック９２６と同様である。
【０１２６】
ＰＨＹモードが第２ＰＨＹモードであるとブロック９６２で決定された場合、フローはブロック９７０へ進む。ブロック９７０では、シーケンスの第２繰り返し数が、第１プリアンブル部において生成される。第２繰り返し数は、ブロック９６４で生成された第１繰り返し数より大きく、第１プリアンブル部がブロック９６４で生成された第１プリアンブル部より長くなることを引き起こす。一実施形態において、ブロック９７０で生成された各繰り返しシーケンスは、ブロック９６４で生成された各繰り返しシーケンスと同じである。例えば、一実施形態において、第１プリアンブル部の複数のシーケンスは、ブロック９６４で第１プリアンブル部の複数のシーケンスを生成するのに用いられるものと同じクロックレートを用いてブロック９７０で生成され、ブロック９６４及び９７０で生成された第１プリアンブル部の複数のシーケンスは両方とも、ＳＴＦのＯＦＤＭ変調シーケンスである。
【０１２７】
ブロック９７２では、ＯＦＤＭ部は第２クロックレートを用いて生成される。様々な実施形態において、ブロック９７２は、図１５における方法９２０のブロック９３２と同様である。
【０１２８】
いくつかの実施形態において、図１７の方法９６０は、示されていない複数の追加の方法要素を含む。例えば、一実施形態において、ブロック９６８及びブロック９７２の後に、追加の方法要素は、通信チャネル（例えば、無線通信チャネル）を介して、生成された第１プリアンブル部及び生成されたＯＦＤＭ部の両方を含むデータユニット送信する段階を含む。さらに、方法例９６０のフロー図において、ブロック９６８及び９７２がそれぞれ、ブロック９６４及び９７０の後に示されているが、複数の他の実施形態において、ブロック９６８及び９７２は、ブロック９６４及び９７０の前に、又はそれらと同時に発生する。
【０１２９】
図１８は、一実施形態に係る、プリアンブル設計の（その実施例が図８に示されている）第２例に従って生成されるデータユニットのクロックレートを自動検出する方法例９８０のフロー図である。いくつかの実施形態において、図１のＡＰ１４などのＡＰ（及び／又はクライアント局２５‐１などのクライアント局）が、方法９８０を実装するよう構成される。
【０１３０】
ブロック９８２では、データユニットは、通信チャネルを介して受信される。ブロック９８２は、いくつかの実施形態において、図１４における方法９１０のブロック９１２と同様である。ブロック９８２で受信されたデータユニットは、第１プリアンブル部と、第１プリアンブル部に続くＯＦＤＭ部とを含む。データユニットのＯＦＤＭ部は、１つ又は複数のＬＴＦを含む第２プリアンブル部を有する。様々な実施形態によれば、受信されたデータユニットは、図８に関連して説明されているプリアンブル設計を有するデータユニットである。さらに、又は代替的に、様々な実施形態によれば、受信されたデータユニットは、図１７の方法９６０に従って生成されるデータユニットである。 
【０１３１】
ブロック９８４では、ブロック９８２で受信されるデータユニットの少なくとも第１プリアンブル部の自己相関が実行され、自己相関は、キャリアセンス信号を出力する。
【０１３２】
ブロック９８８では、ブロック９８２で受信されたデータユニットのＯＦＤＭ部のクロックレートは、キャリアセンス信号のパルス長さ（すなわち、自己相関出力）に基づき、決定される。一実施形態において、ＯＦＤＭ部のクロックレートは、キャリアセンス信号が、第１延べ時間（例えば、０．８μｓ）において「高」レベル（又は、比較的強い自己相関の任意の他のインジケータ）にある場合に、第１クロックレートであると決定され、キャリアセンス信号が、より長い第２延べ時間（例えば、３．２μｓ）において、「高」レベル（又は、比較的強い自己相関の任意の他のインジケータ）にある場合には、より低い第２クロックレートであると決定される。いくつかの実施形態において、ブロック９８８での決定は、キャリアセンス信号のパルス長さが第１長さ範囲（例えば、１０μｓより小さい）、又は第２長さ範囲（例えば、１０μｓより大きい）にあるかを決定することによって、実行される。一実施形態において、パルス長さは、データユニットの第１プリアンブル部における繰り返されたシーケンス数に依存する。一実施形態において、キャリアセンス信号のパルス長さ（例えば、キャリアセンス信号におけるパルスの持続時間）は、１）キャリアのセンシングと、２）受信されたデータユニットの第１プリアンブル部から受信されたデータユニットの第２プリアンブル部への遷移の検出との間の推定延べ時間に対応する。
【０１３３】
いくつかの実施形態において、方法９８８は、図１８に示されていない複数の追加の方法要素を含む。例えば、一実施形態において、方法９８０は、ブロック９８２でデータユニットを受信する段階の前に、複数の受信されたデータユニットの第１のより高いポテンシャルクロックレートに対応する受信機クロックレートを提供する段階を含む。さらに、方法９８０は第１及び第２クロックレートを決定する段階に関連して説明されている一方、いくつかの実施形態は、第３クロックレート、及び第４クロックレートなどに対応する（例えば、ブロック９８４と同様の）複数の追加の方法要素を含み、ＯＦＤＭ部のクロックレートがこれらの追加のポテンシャルクロックレートのうちの１つであるかが、ブロック９８８でまた決定される。
【０１３４】
図１９は、一実施形態に係る、プリアンブル設計の（その実施例が図９に示されている）第３例に係るデータユニットを生成する方法例１０００のフロー図である。いくつかの実施形態において、図１のＡＰ１４などのＡＰ（及び／又はクライアント局２５‐１などのクライアント局）が、通信チャネルを通じた送信のためのデータユニットを生成するべく、方法１０００を実装するよう構成される。
【０１３５】
ブロック１００２では、方法１０００を実装する通信デバイスのＰＨＹモードが第１ＰＨＹモード又は第２ＰＨＹモードであるかが決定される。様々な実施形態において、ブロック１００２は、図１５における方法９２０のブロック９２２と同様である。
【０１３６】
ＰＨＹモードが第１ＰＨＹモードであるとブロック１００２で決定された場合、フローはブロック１００４へ進む。ブロック１００４では、シーケンス（すなわち、１つ又は複数の繰り返し）の第１繰り返し数（すなわち、１つ又は複数の繰り返し）が、第１プリアンブル部において、生成される。ブロック１００４は、一実施形態において、図１７の方法９６０におけるブロック９６４と同様である。
【０１３７】
ブロック１００８では、ブロック１００４で生成された第１プリアンブル部は、第１カバーコードを用いて増加される。例えば、一実施形態において、第１プリアンブル部は、全て１のシーケンスを用いて増加される（すなわち、これにより、第１プリアンブル部の全ての繰り返しシーケンスにおける全てのビットの極性が、変更されない）。第１カバーコードが全て１のシーケンスである１つの実施形態において、ブロック１００８で第１プリアンブル部を増加する段階は単に、第１プリアンブル部上でいかなるカバーコード処理操作も実行しない段階を含む。第１カバーコードが全て１のシーケンスである一実施形態において、ブロック１００８は省略される。
【０１３８】
ブロック１０１０では、ＯＦＤＭ部は、第１ＰＨＹモードに対応する第１クロックレートを用いて生成される。様々な実施形態において、ブロック９６８は、図１５における方法９２０のブロック９２６と同様である。
【０１３９】
ＰＨＹモードが第２ＰＨＹモードであるとブロック１００２で決定された場合、フローは、ブロック１０１２へ進む。ブロック１０１２では、シーケンスの第２繰り返し数（すなわち、１つ又は複数の繰り返し）は、第１プリアンブル部において生成される。１つの実施形態において、第２繰り返し数は、ブロック１００４で生成された第１繰り返し数と同じである（すなわち、繰り返し数、従って、第１プリアンブル部の長さが、ＰＨＹモード、又はＯＦＤＭ部のクロックレートを反映しない）。別の実施形態において、第２繰り返し数は、ブロック１００４で生成された第１繰り返し数より大きく、結果として、第１プリアンブル部がブロック１００４で生成された第１プリアンブル部より長くなる。一実施形態において、ブロック１０１２で生成された各繰り返しシーケンスは、ブロック１００４で生成された各繰り返しシーケンスと同じである。例えば、一実施形態において、第１プリアンブル部の複数のシーケンスは、ブロック１００４で第１プリアンブル部の複数のシーケンスを生成するのに用いられるものと同じクロックレートを用いてブロック１０１２で生成され、ブロック１００４及び１０１２で生成された第１プリアンブル部の複数のシーケンスは両方とも、ＳＴＦのＯＦＤＭ変調シーケンスである。
【０１４０】
ブロック１０１４では、ブロック１０１２で生成された第１プリアンブル部は、第１ＰＨＹモードのために利用された第１カバーコードとは異なる第２カバーコードを用いて増加される。例えば、第１カバーコードが全て１のシーケンスである１つの実施形態において、第１プリアンブル部は、ブロック１０１４で、一連の交互する正及び負の１を用いて増加される（例えば、一実施形態において、これにより、そのシーケンスの各第２インスタンスにおける全てのビットの極性が、変更される）。第２カバーコードが全て１のシーケンスである一実施形態において、ブロック１０１４で第１プリアンブル部を増加する段階は単に、第１プリアンブル部上でのいかなるカバーコード処理操作も実行しない段階を含む。第２カバーコードが全て１のシーケンスである一実施形態において、ブロック１０１４は省略される。
【０１４１】
ブロック１０１８では、ＯＦＤＭ部は、第２ＰＨＹモードに対応する第２クロックレートを用いて生成される。様々な実施形態において、ブロック１０１８は、図１５における方法９２０のブロック９３２と同様である。
【０１４２】
いくつかの実施形態において、図１９の方法１０００は、示されていない複数の追加の方法要素を含む。例えば、一実施形態において、ブロック１０１０及びブロック１０１８の後に、追加の方法要素は、通信チャネル（例えば、無線通信チャネル）を介して、生成された第１プリアンブル部及び生成されたＯＦＤＭ部の両方を含むデータユニットを送信する段階を含む。さらに、方法１０００の各経路における複数のブロックのシーケンスは、様々な実施形態において異なり、及び／又は、方法１０００の複数のブロックのうちの１つ又は複数は、複数の他のブロックと同時に実行される。例えば、一実施形態において、ブロック１００４及び１００８（又は、ブロック１０１２及び１０１４）は、ブロック１０１０（又は、ブロック１０１８）の後に、又はそれと並列して発生する。
【０１４３】
図２０は、一実施形態に係る、プリアンブル設計の（その実施例が図９に示されている）第３例に従って生成されるデータユニットのクロックレートを自動検出する方法例１０２０のフロー図である。いくつかの実施形態において、図１のＡＰ１４などのＡＰ（及び／又はクライアント局２５‐１などのクライアント局）が、方法１０２０を実装するよう構成される。
【０１４４】
ブロック１０２２では、データユニットは、通信チャネルを介して受信される。いくつかの実施形態において、ブロック１０２２は、図１４における方法９１０のブロック９１２と同様である。ブロック１０２２で受信されたデータユニットは、第１プリアンブル部と、第１プリアンブル部に続くＯＦＤＭ部とを含む。データユニットのＯＦＤＭ部は、１つ又は複数のＬＴＦを含む第２プリアンブル部を有する。様々な実施形態によれば、受信されたデータユニットは、図９に関連して説明されるプリアンブル設計を有するデータユニットである。さらに、又は代替的に、様々な実施形態によれば、受信されたデータユニットは、図１９の方法１０００に従って生成されたデータユニットである。 
【０１４５】
ブロック１０２４では、ブロック１０２２で受信されたデータユニットの少なくとも第１プリアンブル部は、第１可能なカバーコードを取り除き又は取り消すよう処理される。例えば、一実施形態において、第１可能なカバーコードは、第１クロックレートを用いて第１ＰＨＹモードにおいてデータユニットを送信する複数の送信デバイスにより利用される一連の１である。第１可能なカバーコードが一連の１である一実施形態において、ブロック１０２４は省略される。
【０１４６】
ブロック１０２８では、少なくとも第１プリアンブル部の（ブロック１０２４で処理されたような）第１自己相関が、実行される。第１自己相関は、第１繰り返し期間を用いて実行されて、第１キャリアセンス信号を出力する。一実施形態において、ブロック１０２８は、図１６のブロック９４４と同様である。
【０１４７】
ブロック１０３０では、ブロック１０２２で受信されたデータユニットの少なくとも第１プリアンブル部は、第２可能なカバーコードを取り除き又は取り消すよう処理される。例えば、第１可能なカバーコードが、第１クロックレートを用いて第１ＰＨＹモードにおいて複数の送信デバイスにより利用される一連の１である１つの実施形態において、第２可能なカバーコードは、第１クロックレートと異なる第２クロックレートを用いて第２ＰＨＹモードにおいて複数の送信デバイスにより利用される一連の交互する正及び負の１である。一実施形態において、ブロック１０３０は、ブロック１０２４と並列して実行される。第２可能なカバーコードが一連の１である一実施形態において、ブロック１０３０は省略される。
【０１４８】
ブロック１０３２では、少なくとも第１プリアンブル部の（ブロック１０３０で処理されたような）第２自己相関が実行され、第２自己相関は、第２繰り返し期間を用いて実行され、第２キャリアセンス信号を出力する。一実施形態において、ブロック１０３２は、図１６のブロック９４８と同様である（例えば、一実施形態において、ブロック１０３２は、ブロック１０２８と並列して実行される）。
【０１４９】
ブロック１０３４では、ブロック１０２２で受信されたデータユニットのＯＦＤＭ部のクロックレートは、どの自己相関出力がキャリアの存在を示すかに基づき、決定される。例えば、一実施形態において、ブロック１０２８で実行された第１自己相関により出力された第１キャリアセンス信号が、キャリアの存在を示す（例えば、「高」レベルを出力する、あるいは、比較的強い自己相関を示す）場合、クロックレートが第１クロックレートであると決定され、ブロック１０３２で実行された第２自己相関により出力された第２キャリアセンス信号が、キャリアの存在を示す（例えば、「高」レベルを出力する、あるいは、比較的強い自己相関を示す）場合、クロックレートが第２クロックレートであると決定される。 
【０１５０】
第１及び第２自己相関のそれぞれが、プリアンブル設計スキームの複数の代替的なカバーコードのうちの１つを取り除き又は取り消すよう試みる処理に続くので、第１及び第２キャリアセンス信号のうちの最も可能性が高い１つのみが、キャリアの存在を示すであろう。さらに、このキャリアセンシングは一般的に、パルスの長さが分かるまで待つ必要がなく、キャリアセンス信号パルスの開始の近くに発生する。従って、一実施形態において、受信機クロックは、ブロック１０３４での決定に基づき、受信されたデータユニットのクロックレートに対応するよう、動的に調整される。
【０１５１】
いくつかの実施形態において、方法１０２０は、例えば、上にて説明されている受信機クロックを動的に調整する段階など、図２０に示されていない複数の追加の方法要素を含む。さらに、方法１０２０が第１及び第２クロックレートを決定する段階に関連して説明されている一方、いくつかの実施形態は、第３クロックレート、及び第４クロックレートなどに対応する（例えば、ブロック１０２４及び１０２８と同様の）複数の追加の方法要素を備え、ＯＦＤＭ部のクロックレートがこれらの追加のポテンシャルクロックレートのうちの１つであるかが、ブロック１０３４でまた決定される。
【０１５２】
図２１は、一実施形態に係る、プリアンブル設計の（その実施例がそれぞれ、図１０及び１１に示されている）第４又は第５例に係るデータユニットを生成する方法例１０４０のフロー図である。いくつかの実施形態において、図１のＡＰ１４などのＡＰ（及び／又はクライアント局２５‐１などのクライアント局）が、通信チャネルを通じた送信のためのデータユニットを生成するべく、方法１０４０を実装するよう構成される。
【０１５３】
ブロック１０４２では、方法１０４０を実装する通信デバイスのＰＨＹモードが、第１ＰＨＹモード又は第２ＰＨＹモードであるかが決定される。様々な実施形態において、ブロック１０４２は、図１５における方法９２０のブロック９２２と同様である。
【０１５４】
ＰＨＹモードが第１ＰＨＹモードであるとブロック１０４２で決定された場合、フローは、ブロック１０４４へ進む。ブロック１０４４では、第１ＳＹＮＣフィールドは、第１プリアンブル部において生成され、第１プリアンブル部は、上にて検討されているようなＳＣ「追加プリアンブル」部である。いくつかの実施形態において、第１ＳＹＮＣフィールドは、繰り返しシーケンス（例えば、様々な実施形態に従って、繰り返すバーカーシーケンス、ゴレイコードシーケンスなど）を含む。一実施形態において、第１ＳＹＮＣフィールドは、ＩＥＥＥ８０２．１１ｂ規格に準拠するＳＹＮＣフィールドと同じ又は実質的に同様である。 
【０１５５】
ブロック１０４８では、開始フレームデリミタ（ＳＦＤフィールド）が生成される。ＳＦＤフィールドは、第１プリアンブル部に含まれ、ブロック１０４４で生成されたＳＹＮＣフィールドに続く。一実施形態において、ＳＦＤフィールドは、ＩＥＥＥ８０２．１１ｂ規格に準拠するＳＦＤフィールドと同じ又は実質的に同様である。一実施形態において、ＳＦＤフィールドは、ＳＹＮＣフィールドと同じレートでクロックされる。 
【０１５６】
ブロック１０５０では、ＯＦＤＭ部は、第１ＰＨＹモードに対応する第１クロックレートを用いて生成される。様々な実施形態において、ブロック１０５０は、図１５における方法９２０のブロック９２６と同様である。
【０１５７】
ＰＨＹモードが第２ＰＨＹモードであるとブロック１０４２で決定された場合、フローは、ブロック１０５２へ進む。ブロック１０５２では、ブロック１０４４で生成された第１ＳＹＮＣフィールドと異なる第２ＳＹＮＣフィールドは、第１プリアンブル部において生成される。１つの実施形態において、第２ＳＹＮＣフィールドは、ブロック１０４４で生成された第１ＳＹＮＣフィールドの長さと異な長さを有する。代替的に、別の実施形態において、第２ＳＹＮＣフィールドは、第１ＳＹＮＣフィールドの繰り返しシーケンスと相補的な繰り返しシーケンスを含む。例えば、一実施形態において、第１及び第２ＳＹＮＣフィールドは、複数の相補的なゴレイコードシーケンスを含む。一実施形態において、第２ＳＹＮＣフィールドは、ＩＥＥＥ８０２．１１ｂ規格に準拠するＳＹＮＣフィールドと同じ又は実質的に同様である。さらに、一実施形態において、第２ＳＹＮＣフィールドは、第１ＳＹＮＣフィールドと同じレートでクロックされる。
【０１５８】
ブロック１０５４では、ＳＦＤフィールドが生成される。ＳＦＤフィールドは、第１プリアンブル部に含まれ、ブロック１０５２で生成されるＳＹＮＣフィールドに続く。１つの実施形態において、ブロック１０５４で生成されるＳＦＤフィールドは、ブロック１０４８で生成されるＳＦＤフィールドと同じである。別の実施形態において、ブロック１０５４で生成されたＳＦＤフィールドは、ブロック１０４８で生成されたＳＦＤフィールドと異なる。例えば、ブロック１０４４及び１０５２で生成された第１及び第２ＳＹＮＣフィールドがそれぞれ、相補的なゴレイコードシーケンスＧａ及びＧｂを含む一実施形態において、ブロック１０４８で生成されたＳＦＤフィールドは、Ｇｂの１つ又は複数の繰り返しを含み、ブロック１０５４で生成されたＳＦＤフィールドは、Ｇａの１つ又は複数の繰り返しを含む。一実施形態において、ＳＦＤフィールドは、ＳＹＮＣフィールドと同じレートでクロックされる。 
【０１５９】
ブロック１０５８では、ＯＦＤＭ部は第２ＰＨＹモードに対応する第２クロックレートを用いて生成される。様々な実施形態いおいて、ブロック１０５８は、図１５における方法９２０のブロック９２６と同様である。
【０１６０】
いくつかの実施形態において、図２１の方法１０４０は、示されていない複数の追加の方法要素を含む。例えば、一実施形態において、ブロック１０５０及びブロック１０５８の後に、追加の方法要素は、通信チャネル（例えば、無線通信チャネル）を介して、生成された第１プリアンブル部及び生成されたＯＦＤＭ部の両方を含むデータユニットを送信する段階を含む。さらに、方法１０４０の各経路におけるブロックのシーケンスは、様々な実施形態において異なり、及び／又は、方法１０４０の１つ又は複数のブロックは、複数の他のブロックと同時に実行される。例えば、一実施形態において、ブロック１０４４及び１０４８（又は、ブロック１０５２及び１０５４）は、ブロック１０５０（又はブロック１０５８）の後に、又はそれと並列して発生する。さらに、いくつかの実施形態において、ブロック１０４８及び１０５４は省略される（すなわち、生成された第１プリアンブル部、従って、生成されたデータユニットは、ＰＨＹモードに関係なく、ＳＦＤを含まない）。まださらに、ブロック１０４８及び１０５４が含まれている（すなわち、ＳＦＤが第１プリアンブル部に含まれる）いくつかの実施形態において、ブロック１０５０及びブロック１０５８で生成されたＯＦＤＭ部は、ＳＴＦを含まず、ＯＦＤＭ部のＬＴＦは、第１プリアンブル部のＳＦＤの直後に続く。
【０１６１】
図２２は、一実施形態に係る、プリアンブル設計の（その実施例がそれぞれ、図１０及び１１に示されている）第４又は第５例に従って生成されたデータユニットのクロックレートを自動検出する方法例１０６０のフロー図である。いくつかの実施形態において、図１のＡＰ１４などのＡＰ（及び／又は、クライアント局２５‐１などのクライアント局）が、方法１０６０を実装するよう構成される。
【０１６２】
ブロック１０６２では、データユニットは、通信チャネルを介して受信される。いくつかの実施形態において、ブロック１０６２は、図１４における方法９１０のブロック９１２と同様である。ブロック１０６２で受信されたデータユニットは、ＳＹＮＣフィールドを含み、いくつかの実施形態においては、ＳＹＮＣフィールドに続くＳＦＤを含むＳＣ「追加プリアンブル」である第１プリアンブル部を含む。データユニットのＯＦＤＭ部は、第１プリアンブル部に続く。データユニットのＯＦＤＭ部は、１つ又は複数のＬＴＦを含み、いくつかの実施形態においては、ＬＴＦに先行するＳＴＦを含む第２プリアンブル部を有する。様々な実施形態によれば、受信されたデータユニットは、図１０に関連して説明されているプリアンブル設計を有するデータユニット、又は図１１に関連して説明されているプリアンブル設計を有するデータユニットである。さらに、又は代替的に、様々な実施形態によれば、受信されたデータユニットは、図２１の方法１０４０に従って生成されたデータユニットである。 
【０１６３】
ブロック１０６４では、ブロック１０６２で受信されたデータユニットのＯＦＤＭ部のクロックレートは、データユニットの第１プリアンブル部におけるＳＹＮＣフィールドに基づき、自動検出され又は決定される。より具体的には、一実施形態において、クロックレートが、第１ＰＨＹモードに対応する第１クロックレートであるか、又は第２ＰＨＹモードに対応するより低い第２クロックレートであるかが、決定される。様々な実施形態において、ＰＨＹモードは、図１３における方法９００のブロック９０２に関連して説明されている複数のＰＨＹモードの何れかと同様である。
【０１６４】
いくつかの実施形態において、ＯＦＤＭ部のクロックレートは、ＳＹＮＣフィールドの長さに基づき（例えば、受信されたデータユニットが、図１０のプリアンブル設計の第４例に準拠する場合）、決定される。複数の他の実施形態において、ＯＦＤＭ部のクロックレートは、ＳＹＮＣフィールドの繰り返しシーケンスに基づき（例えば、受信されたデータユニットが図１１のプリアンブル設計の第４例に準拠する場合）、決定される。例えば、一実施形態において、クロックレートは、第１ゴレイコードシーケンスがＳＹＮＣフィールドに含まれるか、又は相補的な第２ゴレイコードシーケンスがＳＹＮＣフィールドに含まれるかに基づき、決定される。受信されたデータユニットが、クロックレートを示すように異なる複数のＳＦＤも利用する１つの実施形態において、ブロック１０６４でクロックレートを決定する段階は、受信されたデータユニットの第１プリアンブル部のＳＦＤにも基づきクロックレートを決定する段階を含む。 
【０１６５】
図２２は方法１０６０におけるブロック１０６２及び１０６４のみを示しているが、いくつかの実施形態は、複数の追加の方法要素を含む。さらに、方法１０６０が第１又は第２クロックレートを決定する段階に関連して説明されている一方、いくつかの実施形態は、クロックレートが第３クロックレートであるか、又はクロックレートが第３又は第４クロックレートであるかなどをさらに（ブロック１０６４で）決定する。
【０１６６】
図２３は、一実施形態に係る、プリアンブル設計の（その実施例が図１２に示されている）第６例に係るデータユニットを生成する方法例１０８０のフロー図である。いくつかの実施形態において、図１のＡＰ１４などのＡＰ（及び／又は、クライアント局２５‐１などのクライアント局）が、通信チャネルを通じた送信のためのデータユニットを生成するべく、方法１０８０を実装するよう構成される。
【０１６７】
ブロック１０８２では、方法１０８０を実装する通信デバイスのＰＨＹモードが第１ＰＨＹモード又は第２ＰＨＹモードであるかが決定される。様々な実施形態において、ブロック１０８２は、図１５における方法９２０のブロック９２２と同様である。
【０１６８】
ＰＨＹモードが第１ＰＨＹモードであるとブロック１０８２で決定された場合、フローは、ブロック１０８４へ進む。ブロック１０８４では、ＳＹＮＣフィールドが第１プリアンブル部において生成され、第１プリアンブル部は、上にて検討されているＳＣ「追加プリアンブル」部である。いくつかの実施形態において、ＳＹＮＣフィールドは、様々な実施形態に従って、繰り返しシーケンス（例えば、繰り返すバーカーシーケンス、ゴレイコードシーケンスなど）を含む。一実施形態において、ＳＹＮＣフィールドは、ＩＥＥＥ８０２．１１ｂ規格に準拠するＳＹＮＣフィールドと同じ又は実質的に同様である。 
【０１６９】
ブロック１０８８では、第１ＳＦＤフィールドが生成される。第１ＳＦＤフィールドは、第１プリアンブル部に含まれ、ブロック１０８４で生成されたＳＹＮＣフィールドに続く。一実施形態において、第１ＳＦＤフィールドは、ＩＥＥＥ８０２．１１ｂ規格に準拠するＳＦＤフィールドと同じ又は実質的に同様である。一実施形態において、ＳＦＤフィールドは、ＳＹＮＣフィールドと同じレートでクロックされる。 
【０１７０】
ブロック１０９０では、ＯＦＤＭ部は、第１ＰＨＹモードに対応する第１クロックレートを用いて生成される。様々な実施形態において、ブロック１０９０は、図１５における方法９２０のブロック９２６と同様である。
【０１７１】
ＰＨＹモードが第２ＰＨＹモードであるとブロック１０８２で決定された場合、フローは、ブロック１０９２へ進む。ブロック１０９２では、ＳＹＮＣフィールドは、第１プリアンブル部において生成される。一実施形態において、ＳＹＮＣフィールドは、ブロック１０８４で生成されたＳＹＮＣフィールドと同じ又は実質的に同じである。
【０１７２】
ブロック１０９４では、第１ＳＦＤフィールドと異なる第２ＳＦＤフィールドが生成される。例えば、１つの実施形態において、第２ＳＦＤフィールドは、ＳＹＮＣフィールドにおいて繰り返すが符号フリップを有するシーケンスを含む一方、第１ＳＦＤフィールドは、符号フリップを有さないＳＹＮＣフィールドの同じシーケンスを含む。別の例として、一実施形態において、第２ＳＦＤフィールドは、第１ＳＦＤフィールドにおいて１回又は複数回繰り返されたシーケンスと異なるシーケンスの１つ又は複数の繰り返しを含む。第２ＳＦＤフィールドは、第１プリアンブル部に含まれ、ブロック１０９２で生成されたＳＹＮＣフィールドに続く。一実施形態において、第２ＳＦＤフィールドは、ＳＹＮＣフィールドと同じレートでクロックされる。
【０１７３】
ブロック１０９８では、ＯＦＤＭ部は、第２ＰＨＹモードに対応する第２クロックレートを用いて生成される。様々な実施形態において、ブロック１０９８は、図１５における方法９２０のブロック９２６と同様である。
【０１７４】
いくつかの実施形態において、図２３の方法１０８０は、示されていない複数の追加の方法要素を含む。例えば、一実施形態において、ブロック１０９０及びブロック１０９８の後に、追加の方法要素は、通信チャネル（例えば、無線通信チャネル）を介して、生成された第１プリアンブル部及び生成されたＯＦＤＭ部の両方を含むデータユニットを送信する段階を含む。さらに、方法１０８０の各経路におけるブロックのシーケンスは、様々な実施形態において異なり、及び／又は、方法１０８０の１つ又は複数のブロックは、複数の他のブロックと同時に実行される。例えば、一実施形態において、ブロック１０８４及び１０８８（又はブロック１０９２及び１０９４）は、ブロック１０９０（又はブロック１０９８）の後に、又はそれらと同時に発生する。いくつかの実施形態において、ブロック１０９０及びブロック１０９８で生成されたＯＦＤＭ部は、ＳＴＦを含まず、ＯＦＤＭ部のＬＴＦは、ＳＦＤの直後に続く。
【０１７５】
図２４は、一実施形態に係る、プリアンブル設計の（その実施例が図１２に示されている）第６例に従って生成されたデータユニットのクロックレートを自動検出する方法例１１００のフロー図である。いくつかの実施形態において、図１のＡＰ１４などのＡＰ（及び／又は、クライアント局２５‐１などのクライアント局）が方法１１００を実装するよう構成される。
【０１７６】
ブロック１１０２では、データユニットは通信チャネルを介して受信される。いくつかの実施形態において、ブロック１１０２は、図１４における方法９１０のブロック９１２と同様である。ブロック１１０２で受信されたデータユニットは、ＳＹＮＣフィールドと、ＳＹＮＣフィールドに続くＳＦＤとを含むＳＣ「追加プリアンブル」である第１プリアンブル部を有する。データユニットのＯＦＤＭ部は、第１プリアンブル部に続く。データユニットのＯＦＤＭ部は、１つ又は複数のＬＴＦを含み、いくつかの実施形態においては、ＬＴＦに先行するＳＴＦを含む第２プリアンブル部を有する。しかしながら、いくつかの実施形態において、第２プリアンブル部は、ＳＴＦを含まず、ＬＴＦは、第１プリアンブル部のＳＦＤの直後に続く。様々な実施形態によれば、受信されたデータユニットは、図１２に関連して説明されているプリアンブル設計を有するデータユニットである。さらに、又は代替的に、様々な実施形態によれば、受信されたデータユニットは、図２３の方法１０８０に従って生成されるデータユニットである。 
【０１７７】
ブロック１１０４では、ブロック１１０２で受信されたデータユニットのＯＦＤＭ部のクロックレートは、データユニットの第１プリアンブル部におけるＳＦＤフィールドに基づき（ＳＹＮＣフィールド上に基づくではなく）、自動検出され又は決定される。より具体的には、一実施形態において、クロックレートが第１ＰＨＹモードに対応する第１クロックレートであるか、又は第２ＰＨＹモードに対応するより低い第２クロックレートであるかが決定される。様々な実施形態において、ＰＨＹモードは、図１３における方法９００のブロック９０２に関連して説明されているＰＨＹモードのうちの何れかと同様である。
【０１７８】
いくつかの実施形態において、ＯＦＤＭ部のＳＦＤフィールド（従って、クロックレート）は、並列相互相関を実行することによって決定される。例えば、一実施形態において、第１相互相関が、受信されたＳＦＤシーケンスを、第１クロックレートに対応する第１ポテンシャルＳＦＤシーケンスと相関させ、第２相互相関が、受信されたＳＦＤシーケンスを、第２クロックレートに対応する第２ポテンシャルＳＦＤシーケンスと相関させる。
【０１７９】
図２４は、方法１１００におけるブロック１１０２及び１１０４のみを示しているが、いくつかの実施形態は、複数の追加の方法要素を含む。さらに、方法１１００が第１及び第２クロックレートを決定する段階に関連して説明されている一方、いくつかの実施形態は、クロックレートが第３クロックレートであるか、又は、クロックレートは第３又は第４クロックレートであるかなどをさらに（ブロック１１０４で）決定する。
【０１８０】
図２５は、一実施形態に係る、無線通信プロトコルの異なる複数のＰＨＹモードに従って生成されたＰＨＹデータユニットの図を示す。様々な実施形態又はシナリオにおいて、図２５のＰＨＹデータユニットは、通信チャネルを通じて、通信デバイス（例えば、図１のＡＰ１４及び／又はクライアント局２５）により送信され及び／又は受信され複数のデータユニットにおいて利用される。図２５は、２つのＰＨＹデータユニットフォーマットを示し、そのそれぞれは、ＯＦＤＭ部の特定のクロックレートに対応するＰＨＹモードを反映する。１つの実施形態において、ＡＰ（例えば、ＡＰ１４）は、例示的なＰＨＹデータユニットの両方を生成することができる。すなわち、ＡＰは、異なる複数のクロックレートに対応する複数のＰＨＹモードをサポートする）一方、各クライアント局（例えば、複数のクライアント局２５のそれぞれ）は、例示的なＰＨＹデータユニットのうちの１つのみを生成することができる（すなわち、各クライアント局は、単一クロックレートに対応するＰＨＹモードのみをサポートする）。別の実施形態において、ＡＰ及び１つ又は複数のクライアント局の両方は、例示的なＰＨＹユニットの両方を生成することができる。
【０１８１】
一実施形態において、第１データユニット１２００は、第１ＰＨＹモード（例えば、通常ＰＨＹモード）に対応し、第２データユニット１２３０は、第２ＰＨＹモード（例えば、範囲拡張ＰＨＹモード）に対応する。第１データユニット１２００及び第２データユニット１２３０のそれぞれは、第１プリアンブル部１２１０及びＯＦＤＭ部１２１２を含む。ＯＦＤＭ部１２１２は、第２プリアンブル部１２２０及びデータ部１２２２を含む。 
【０１８２】
一実施形態において、第１プリアンブル部１２１０は、第１ＰＨＹモード及び第２ＰＨＹモードの両方において、第１クロックレートでクロックされる。一方、ＯＦＤＭ部１２１２は、（第１ＰＨＹモードに従って送信されるべく）データユニット１２００に対して第１クロックレートでクロックされ、一方で、一実施形態によれば、ＯＦＤＭ部１２１２は、（第１ＰＨＹモードに従って送信されるべく）データユニット１２３０に対して第２クロックレートでクロックされ、第２クロックレートは、第１クロックレートと異なる。いくつかの実施形態において、第２クロックレートは、第１クロックレートより低く、一方で、複数の他の実施形態において、第２クロックレートは、第１クロックレートより高い。いくつかの実施形態において、第２クロックレートは、第１クロックレートの適した分数（その１／２、１／４、１／８、１／１０、１／１６など）である。いくつかの実施形態において、第２クロックレートは、第１クロックレートの適した整数の倍数（その２ｘ、４ｘ、８ｘ、１０ｘ、１６ｘなど）である。 
【０１８３】
いくつかの実施形態において、第１プリアンブル部１２１０は、第１プリアンブル部１２１０が、ＯＦＤＭ部１２１２が第１クロックレートで又は第２クロックレートでクロックされるかを示すようにフォーマットされることを除き、第１ＰＨＹモード及び第２ＰＨＹモードの両方と同じである。例えば、一実施形態において、第１プリアンブル部１２１０は、第１ＰＨＹモード及び第２ＰＨＹモードの両方において同じ持続時間を有する。別の例として、一実施形態において第１プリアンブル部１２１０におけるフィールドは、第１ＰＨＹモード及び第２ＰＨＹモードの両方において、それぞれ同じ持続時間を有する。一方、一実施形態において、第１プリアンブル部１２１０におけるフィールド（例えば、信号フィールド）は、ＯＦＤＭ部１２１２が第１クロックレートで又は第２クロックレートでクロックされるかを示すデータを含む。別の例として、一実施形態において、ＰＨＹデータユニットが第２ＰＨＹモードに従って送信される場合に、第１ＰＨＹモードと比較して、第１プリアンブル部１２１０におけるパイロットトーンのセットの少なくともいくつかのパイロットトーンがフリップされる。よって、一実施形態において、第１プリアンブル部１２１０におけるパイロットトーンは、ＯＦＤＭ部１２１２が第１クロックレートで又は第２クロックレートでクロックされるかを示す。別の例として、一実施形態において、第１プリアンブル部１２１０の一部が、ＰＨＹデータユニットが第２ＰＨＹモードに従って送信される場合に、第１ＰＨＹモードと比較して異なって変調される。よって、一実施形態において、第１プリアンブル部１２１０の少なくとも一部の変調は、ＯＦＤＭ部１２１２が第１クロックレートで又は第２クロックレートでクロックされるかを示す。 
【０１８４】
一実施形態において、第１プリアンブル部１２１０は、レガシ部（図示せず）を含む。一実施形態において、第１プリアンブル部は、ＳＹＮＣフィールド（図示せず）を含む。一実施形態において、第１プリアンブル部はＳＴＦ（図示せず）及び信号フィールド（図示せず）を含む。一実施形態において、第２プリアンブル部１２２０は、１つ又は複数のＬＴＦ（図示せず）と、ＳＩＧフィールド（図示せず）とを含む。一実施形態において、第１プリアンブル部１２１０は、第１ＳＩＧフィールドを含み、第２プリアンブル部１２２０は、第２ＳＩＧフィールドを含む。 
【０１８５】
一実施形態において、データユニット１２００又はデータユニット１２３０を受信する通信デバイスが、ＯＦＤＭ部１２１２において複数のＯＦＤＭシンボルを復調する前に、ＯＦＤＭ部１２１２のクロックレートを決定するよう、第１プリアンブル部１２１０を分析する。例えば、いくつかの実施形態において、受信機は、ＯＦＤＭ部１２１２が、第１クロックレートで又は第２クロックレートでクロックされるかを決定するよう、１つ又は複数の１）第１プリアンブル部１２１０における（例えば、プリアンブル部１２１０のＳＩＧフィールドにおける）データ、２）第１プリアンブル部１２１０におけるパイロットトーン、及び／又は３）第１プリアンブル部１２１０の少なくとも一部の変調などを分析する。 
【０１８６】
図２６は、一実施形態に係る、無線通信プロトコルの異なる複数のＰＨＹモードに従って生成されたＰＨＹデータユニットの図を示す。様々な実施形態又はシナリオにおいて、図２６のＰＨＹデータユニットは、通信チャネルを通じて通信デバイス（例えば、図１のＡＰ１４及び／又はクライアント局２５）により送信され及び／又は受信された複数のデータユニットにおいて利用される。図２６は、２つのＰＨＹデータユニットフォーマットを示し、そのそれぞれは、ＯＦＤＭ部の特定のクロックレートに対応するＰＨＹモードを反映する。１つの実施形態において、ＡＰ（例えば、ＡＰ１４）は、例示的なＰＨＹデータユニットの両方を生成することができる（すなわち、ＡＰは、異なる複数のクロックレートに対応する複数のＰＨＹモードをサポートする）一方、各クライアント局（例えば、複数のクライアント局２５のそれぞれ）は、例示的なＰＨＹデータユニットのうちの１つのみを生成することができる（すなわち、各クライアント局は、単一クロックレートに対応するＰＨＹモードのみをサポートする）。別の実施形態において、ＡＰ及び１つ又は複数のクライアント局の両方は、例示的なＰＨＹユニットの両方を生成することができる。
【０１８７】
一実施形態において、第１データユニット１３００は、第１ＰＨＹモード（例えば、通常ＰＨＹモード）に対応し、第２データユニット１３５０は、第２ＰＨＹモード（例えば、範囲拡張ＰＨＹモード）に対応する。第１データユニット１３００及び第２データユニット１３５０のそれぞれは、第１プリアンブル部１３１０及びＯＦＤＭ部１３１２を含む。ＯＦＤＭ部１３１２は、第２プリアンブル部１３２０及びデータ部１３２２を含む。 
【０１８８】
一実施形態において、第１プリアンブル部１３１０は、第１ＰＨＹモード及び第２ＰＨＹモードの両方において、第１クロックレートでクロックされる。他方、ＯＦＤＭ部１３１２は、（第１ＰＨＹモードに従って送信されるべく）データユニット１３００に対して第１クロックレートでクロックされ、一方で、一実施形態によれば、ＯＦＤＭ部１３１２は、（第１ＰＨＹモードに従って送信されるべく）データユニット１３５０に対して第２クロックレートでクロックされ、ここで、第２クロックレートは第１クロックレートと異なる。いくつかの実施形態において、第２クロックレートは、第１クロックレートより低く、一方で、複数の他の実施形態において、第２クロックレートは、第１クロックレートより高い。いくつかの実施形態において、第２クロックレートは、第１クロックレートの適した分数（その１／２、１／４、１／８、１／１０、１／１６など）である。いくつかの実施形態において、第２クロックレートは、第１クロックレートの適した整数の倍数（その２ｘ、４ｘ、８ｘ、１０ｘ、１６ｘなど）である。いくつかの実施形態において、第１クロックレートは、第１トーンインターバルに対応し、一方で、第２クロックレートは、第１トーンインターバルと異なる第２トーンインターバルに対応する。いくつかの実施形態において、第２トーンインターバルは、第１トーンインターバルの適した分数（その１／２、１／４、１／８、１／１０、１／１６など）である。いくつかの実施形態において、第２トーンインターバルは、第１トーンインターバルの適した整数の倍数（その２ｘ、４ｘ、８ｘ、１０ｘ、１６ｘなど）である。いくつかの実施形態において、第１クロックレートは、第１ＯＦＤＭシンボル持続時間に対応し、一方で、第２クロックレートは、第１ＯＦＤＭシンボル持続時間とは異なる第２ＯＦＤＭシンボル持続時間に対応する。いくつかの実施形態において、第２ＯＦＤＭシンボル持続時間は、第１ＯＦＤＭシンボル持続時間の適した整数の倍数（その２ｘ、４ｘ、８ｘ、１０ｘ、１６ｘなど）である。いくつかの実施形態において、第２ＯＦＤＭシンボル持続時間は、第１ＯＦＤＭシンボル持続時間の適した分数（その１／２、１／４、１／８、１／１０、１／１６など）である。 
【０１８９】
いくつかの実施形態において、第１プリアンブル部１３１０は、第１プリアンブル部１３１０が、ＯＦＤＭ部１３１２が第１クロックレートであるか又は第２クロックレートでクロックされるかを示すようにフォーマットされることを除き、第１ＰＨＹモード及び第２ＰＨＹモードの両方において同じである。例えば、一実施形態において、第１プリアンブル部１３１０は、第１ＰＨＹモード及び第２ＰＨＹモードの両方において、同じ持続時間を有する。別の例として、一実施形態において、第１プリアンブル部１３１０における複数のフィールドは、第１ＰＨＹモード及び第２ＰＨＹモードの両方において、それぞれ同じ持続時間を有する。一方、一実施形態において、第１プリアンブル部１３１０におけるフィールド（例えば、信号フィールド）は、ＯＦＤＭ部１３１２が第１クロックレートで又は第２クロックレートでクロックされるかを示すデータを含む。別の例として、一実施形態において、ＰＨＹデータユニットが第２ＰＨＹモードに従って送信される場合に、第１ＰＨＹモードと比較して、第１プリアンブル部１３１０におけるパイロットトーンのセットの少なくともいくつかのパイロットトーンの複数の信号がフリップされる。よって、一実施形態において、第１プリアンブル部１３１０における複数のパイロットトーンは、ＯＦＤＭ部１３１２が第１クロックレートで又は第２クロックレートでクロックされるかを示す。別の例として、一実施形態において、ＰＨＹデータユニットが第２ＰＨＹモードに従って送信される場合、第１プリアンブル部１３１０の一部は、第１ＰＨＹモードと比較して異なって変調される。よって、一実施形態において、第１プリアンブル部１３１０の少なくとも一部の変調は、ＯＦＤＭ部１３１２が第１クロックレートで又は第２クロックレートでクロックされるかを示す。 
【０１９０】
第１プリアンブル部１３１０は、レガシ部１３３０を含む。一実施形態において、レガシ部１３３０は、図２に示されているように配置されるＬ‐ＳＴＦフィールド、Ｌ‐ＬＴＦフィールド、及びＬ‐ＳＩＧフィールドを含む。第１プリアンブル部１３１０はまた、高効率ＷＬＡＮ（ＨＥＷ）信号（ＨＥＷ‐ＳＩＧＡ）フィールド１３３４を含む。一実施形態において、ＨＥＷ‐ＳＩＧＡフィールド１３３４は、ＯＦＤＭ部１３１２が第１クロックレートで又は第２クロックレートでクロックされるかを示すデータを含む。第１プリアンブル部はまた、ＨＥＷ‐ＳＴＦフィールド１３３６を含む。複数の他の実施形態において、第１プリアンブル部１３１０は、上にて検討されている複数のフィールドのうちのいくつかを省略し、及び／又は、複数の他の適したフィールドを含む。 
【０１９１】
第２プリアンブル部１３２０は、データユニットが第１ＰＨＹモードに従って送信される場合に、１つ又は複数のＨＥＷ−ＬＴＦ１３４０と、ＨＥＷ‐ＳＩＧＢフィールド１３４４とを含む。一実施形態において、第２プリアンブル部１３２０は、１）複数のＨＥＷ−ＬＴＦ１３４０、及び／又は２）ＨＥＷ‐ＳＩＧＢフィールド１３４４のうちの１つ又は両方を省略し、及び／又は、複数の他の適したフィールドを含む。 
【０１９２】
第２プリアンブル部１３２０は、データユニットが第２ＰＨＹモードに従って送信される場合に、１つ又は複数のＨＥＷ−ＬＴＦ１３５４と、ＨＥＷ‐ＳＩＧＢフィールド１３５８とを含む。一実施形態において、第２プリアンブル部１３２０は、１）複数のＨＥＷ−ＬＴＦ１３５４、及び／又は２）ＨＥＷ‐ＳＩＧＢフィールド１３５８のうちの１つ又は両方を省略し、及び／又は、複数の他の適したフィールドを含む。 
【０１９３】
一実施形態において、データユニット１３５０は、適した帯域幅にわたり、複数のＨＥＷ−ＬＴＦ１３５４は、共にデータユニット１３５０の帯域幅にわたる異なる複数の帯域幅部を含む。同様に、一実施形態において、ＨＥＷ‐ＳＩＧＢフィールド１３５８は、共にデータユニット１３５０の帯域幅にわたる異なる複数の帯域幅部を含む。同様に、一実施形態において、データ部１３２２は、共にデータユニット１３５０の帯域幅にわたる異なる複数の帯域幅部１３６２を含む。 
【０１９４】
一実施形態において、データユニット１３００又はデータユニット１３５０を受信する通信デバイスが、ＯＦＤＭ部１３１２における複数のＯＦＤＭシンボルを復調する前に、ＯＦＤＭ部１３１２のクロックレートを決定するよう、第１プリアンブル部１３１０を分析する。例えば、いくつかの実施形態において、受信機は、ＯＦＤＭ部１３１２が第１クロックレートで又は第２クロックレートでクロックされるかを決定するよう、１）第１プリアンブル部１３１０における（例えば、ＨＥＷ‐ＳＩＧＡフィールド１３３４における）データ、２）第１プリアンブル部１３１０における複数のパイロットトーン、及び／又は３）第１プリアンブル部１３１０の少なくとも一部の変調などのうちの１つ又は複数を分析する。 
【０１９５】
図２７は、一実施形態に係る、第１ＰＨＹモードと第２ＰＨＹモードとを有する無線通信プロトコルに従う送信のためのＰＨＹデータユニットを生成する方法例１４００のフロー図である。一実施形態において、方法１４００は、図１３の方法の実装である。
【０１９６】
いくつかの実施形態において、方法１４００は、図２５及び／又は図２６に示されている複数のフォーマットに従ってＰＨＹデータユニットを生成するために利用される。単に説明の目的のために、方法１４００は、図２６に関連して説明されている。しかしながら、複数の他の実施形態において、方法１４００は、複数の他の適したフォーマットに従って、複数のＰＨＹデータユニットを生成するために利用される。例えば、方法１４００は、いくつかの実施形態によれば、図１０‐１２に関連して上にて検討されている複数のフォーマットに従って複数のＰＨＹデータユニットを生成するために利用される。 
【０１９７】
いくつかの実施形態において、図１のＡＰ１４などのＡＰ（及び／又はクライアント局２５‐１などのクライアント局）が、通信チャネルを通じた送信のためのデータユニットを生成するべく、方法１４００を実装するよう構成される。例えば、一実施形態において、ＰＨＹ処理ユニット２０（及び／又はクライアント局２５‐１などのクライアント局）は、通信チャネルを通じた送信のためのデータユニットを生成するべく、方法１４００を実装するよう構成される。
【０１９８】
ブロック１４０４では、ＰＨＹデータユニットが、第１ＰＨＹモード又は第２ＰＨＹモードに従って送信されるかが決定される。ＰＨＹデータユニットが第１ＰＨＹモードに従って送信されるべきとブロック１４０４で決定された場合、フローは、ブロック１４０８へ進む。ブロック１４０８では、ＰＨＹデータユニットの第１プリアンブル部は、第１クロックレートに従って生成される。さらに、第１プリアンブル部は第１ＰＨＹモードに従ってフォーマットされるように、第１プリアンブル部は生成される。一実施形態において、第１プリアンブル部は、第１プリアンブル部に続くＯＦＤＭ部が第１クロックレートでクロックされることを示すようにフォーマットされる。例として、一実施形態において、第１プリアンブル部は、図２５に関連して上にて検討されている第１ＰＨＹモードにおいて第１プリアンブル部１２１０に対応する。別の例として、一実施形態において、第１プリアンブル部は、図２６に関連して上にて検討されている第１ＰＨＹモードにおいて第１プリアンブル部１３１０に対応する。 
【０１９９】
ブロック１４１２では、ＯＦＤＭ部は、第１クロックレートに従って生成される。例えば、一実施形態において、ＯＦＤＭ部は、図２５に関連して上にて検討されている第１ＰＨＹモードにおいてＯＦＤＭ部１２１２に対応する。別の例として、一実施形態において、ＯＦＤＭ部は、図２６に関連して上にて検討されている第１ＰＨＹモードにおいてＯＦＤＭ部１３１２に対応する。 
【０２００】
ＰＨＹデータユニットが第２ＰＨＹモードに従って送信されるべきとブロック１４０４で決定された場合、フローは、ブロック１４１６へ進む。ブロック１４１６では、ＰＨＹデータユニットの第１プリアンブル部は、第１クロックレートに従って生成される。さらに、第１プリアンブル部は第２ＰＨＹモードに従ってフォーマットされるように、第１プリアンブル部は生成される。一実施形態において、第１プリアンブル部は、第１プリアンブル部に続くＯＦＤＭ部が第２クロックレートでクロックされることを示すようにフォーマットされる。例として、一実施形態において、第１プリアンブル部は、図２５に関連して上にて検討されている第２ＰＨＹモードにおいて第１プリアンブル部１２１０に対応する。別の例として、一実施形態において、第１プリアンブル部は、図２６に関連して上にて検討されている第２ＰＨＹモードにおいて第１プリアンブル部１３１０に対応する。 
【０２０１】
ブロック１４２０では、ＯＦＤＭ部は、第２クロックレートに従って生成される。例えば、一実施形態において、ＯＦＤＭ部は、図２５に関連して上にて検討されている第２ＰＨＹモードにおいてＯＦＤＭ部１２１２に対応する。別の例として、一実施形態において、ＯＦＤＭ部は、図２６に関連して上にて検討されている第２ＰＨＹモードにおいてＯＦＤＭ部１３１２に対応する。 
【０２０２】
いくつかの実施形態において、図２７の方法１４００は、示されていない複数の追加の方法要素を含む。例えば、一実施形態において、ブロック１４１２及びブロック１４２０の後に、追加の方法要素は、通信チャネル（例えば、無線通信チャネル）を介して、生成された第１プリアンブル部及び生成されたＯＦＤＭ部の両方を含むＰＨＹデータユニットを送信する段階を含む。さらに、方法例１４００のフロー図において、ブロック１４１２及び１４２０がそれぞれ、ブロック１４０８及び１４１６の後に示されているが、複数の他の実施形態において、ブロック１４１２及び１４２０は、ブロック１４０８及び１４１６の前に、又はそれらと同時に発生する。
【０２０３】
図２８は、一実施形態に係る、第１ＰＨＹモードと第２ＰＨＹモードとを有する無線通信プロトコルに従って無線通信チャネルを介して送信されたデータユニットを処理する方法例１５００のフロー図である。
【０２０４】
いくつかの実施形態において、方法１５００は、図２５及び／又は図２６に示されている複数のフォーマットに従って複数のＰＨＹデータユニットを処理するために利用される。単に説明の目的のために、方法１５００は、図２６に関連して説明される。しかしながら、他の実施形態において、方法１５００は、複数の他の適したフォーマットに従って受信された複数のＰＨＹデータユニットを処理するために利用される。例えば、いくつかの実施形態によれば、方法１５００は、図１０‐１２に関連して上にて検討されている複数のフォーマットに従って複数のＰＨＹデータユニットを処理するために利用される。 
【０２０５】
いくつかの実施形態において、図１のＡＰ１４などのＡＰ（及び／又はクライアント局２５‐１などのクライアント局）は、通信チャネルを通じて送信されたデータユニットを処理するべく、方法１５００を実装するよう構成される。例えば、一実施形態において、ＰＨＹ処理ユニット２０（及び／又はクライアント局２５−１などのクライアント局）は、通信チャネルを通じて送信されたデータユニットを処理するべく、方法１５００を実装するよう構成される。 
【０２０６】
ブロック１５０４では、データユニットは、通信チャネルを介して受信される。いくつかの実施形態において、ブロック１５０４は、図１４における方法９１０のブロック９１２と同様である。ブロック１５０４で受信されたデータユニットは、第１プリアンブル部と、第１プリアンブル部に続くＯＦＤＭ部とを含む。データユニットのＯＦＤＭ部は、１つ又は複数のＬＴＦを含む第２プリアンブル部を有する。様々な実施形態によれば、受信されたデータユニットは、図２５及び／又は図２６に示されている複数のフォーマットなどのフォーマットを有する。さらに、又は代替的に、様々な実施形態によれば、受信されたデータユニットは、図２７の方法１４００に従って生成されるデータユニットである。ＰＨＹデータユニットの第１プリアンブル部は、第１クロックレートに従って生成される。 
【０２０７】
ブロック１５０８では、第１プリアンブル部が第１ＰＨＹモード又は第２ＰＨＹモードに従ってフォーマットされるかが決定される。一実施形態において、第１プリアンブル部は、第１プリアンブル部に続くＯＦＤＭ部が第１クロックレート又は第２クロックレートでクロックされるかを示すようにフォーマットされる。例として、一実施形態において、第１プリアンブル部は、図２５に関連して上にて検討されているような第１プリアンブル部１２１０に対応する。別の例として、一実施形態において、第１プリアンブル部は、図２６に関連して上にて検討されている第１プリアンブル部１３１０に対応する。 
【０２０８】
一実施形態において、ブロック１５０８は、第１プリアンブル部におけるフィールド（例えば、信号フィールド）が、ＯＦＤＭ部が第１クロックレート又は第２クロックレートでクロックされるかを示すデータを含むかを決定する段階を含む。別の例として、一実施形態において、第１ＰＨＹモードに比較して、第１プリアンブル部におけるパイロットトーンのセットの少なくともいくつかのパイロットトーンがフリップされるかが決定される。よって、一実施形態において、第１プリアンブル部における複数のパイロットトーンは、ＯＦＤＭ部が第１クロックレート又は第２クロックレートでクロックされるかを示す。別の例として、一実施形態において、第１プリアンブル部の一部が、第１ＰＨＹモードと比較して、異なって変調されるかが決定される。よって、一実施形態において、第１プリアンブル部の少なくとも一部の変調は、ＯＦＤＭ部１２１２が第１クロックレート又は第２クロックレートでクロックされるかを示す。 
【０２０９】
ＯＦＤＭ部が第１クロックレートでクロックされるとブロック１５０８で決定された場合、フローは、ブロック１５１２へ進む。ブロック１５１２では、ＯＦＤＭ部は、第１クロックレートに従って処理される。 
【０２１０】
一方、ＯＦＤＭ部が第２クロックレートでクロックされるとブロック１５０８で決定された場合、フローは、ブロック１５１６へ進む。ブロック１５１６では、ＯＦＤＭ部は、第２クロックレートに従って処理される。 
【０２１１】
いくつかの実施形態において、方法１５００は、図２８に示されていない複数の追加の方法要素を含む。例えば、一実施形態において、方法１５００は、ブロック１５０４でデータユニットを受信する段階の前に、受信されたデータユニットの第２クロックレートに対応する受信機クロックレートを提供する段階を備える。
【０２１２】
一実施形態において、方法が、第１ＰＨＹモードと第２ＰＨＹモードとを有する無線通信プロトコルに従う送信のためのＰＨＹデータユニットを生成するものである。方法は、第１クロックレートに従ってＰＨＹデータユニットの第１プリアンブル部を生成する段階を含み、ここで、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に、第２ＰＨＹモードに従ってフォーマットされる。方法はまた、ＰＨＹデータユニットのＯＦＤＭ部を生成する段階を備え、ここで、ＯＦＤＭ部は、第１プリアンブル部に続き、１つ又は複数のロング・トレーニング・フィールドを有する第２プリアンブル部を含み、ＰＨＹデータユニットが第１ＰＨＹモードに従って送信される場合に第１クロックレートでクロックされ、ＰＨＹデータユニットが第２ＰＨＹモードに従って送信される場合に第１クロックレートと異なる第２クロックレートでクロックされる。
【０２１３】
複数の他の実施形態において、方法は、以下の特徴のうちの１つ又は複数の任意の適した組み合せを含む。 
【０２１４】
第１プリアンブル部を生成する段階は、ＰＨＹデータユニットが第１ＰＨＹモード又は第２ＰＨＹモードに従って生成されるかを示すべく、第１プリアンブル部においてパイロットトーンのセットを生成する段階を含む。
【０２１５】
ＰＨＹデータユニットが第２ＰＨＹモードに従って送信される場合に、パイロットトーンのセットの少なくともいくつかのパイロットトーンの複数の信号は、第１ＰＨＹモードと比較して、フリップされる。
【０２１６】
第１プリアンブル部を生成する段階は、ＰＨＹデータユニットが第１ＰＨＹモード又は第２ＰＨＹモードに従って生成されるかを示す情報を含むフィールドを有する第１プリアンブル部を生成する段階を含む。
【０２１７】
ＰＨＹデータユニットが第１ＰＨＹモード又は第２ＰＨＹモードに従って生成されるかを示す情報を含むフィールドは、１）第１プリアンブル部におけるレガシ部の後に、かつ、２）第１プリアンブル部におけるショート・トレーニング・フィールドの前に生じる信号フィールドである。
【０２１８】
第２クロックレートは、第１クロックレートより低い。
【０２１９】
第２クロックレートは、第１クロックレートの分数である。
【０２２０】
第２クロックレートは、第１クロックレートの１／４である。
【０２２１】
第２クロックレートは、第１クロックレートより速い。
【０２２２】
ＯＦＤＭ部が生成され、これにより、ＯＦＤＭ部における複数のＯＦＤＭシンボルは、ＰＨＹデータユニットが第１ＰＨＹモードに従って送信される場合に、第１持続時間を有し、ＯＦＤＭ部における複数のＯＦＤＭシンボルは、ＰＨＹデータユニットが第２ＰＨＹモードに従って送信される場合に、第２持続時間を有し、ここで、第２持続時間は、第１持続時間と異なる。
【０２２３】
第２持続時間は、第１持続時間より長い。
【０２２４】
ＯＦＤＭ部が生成され、これにより、ＯＦＤＭ部における複数のＯＦＤＭシンボルは、ＰＨＹデータユニットが第１ＰＨＹモードに従って送信される場合に、第１トーンインターバルを有し、ＯＦＤＭ部における複数のＯＦＤＭシンボルは、ＰＨＹデータユニットが第２ＰＨＹモードに従って送信される場合に、第２トーンインターバルを有し、ここで、第２トーンインターバルは第１トーンインターバルと異なる。
【０２２５】
第２トーンインターバルは、第１トーンインターバルより小さい。
【０２２６】
別の実施形態において、通信デバイスが、１つ又は複数の集積回路を有するネットワークインタフェースを備え、１つ又は複数の集積回路は、第１クロックレートに従って、第１ＰＨＹモードと第２ＰＨＹモードとを有する無線通信プロトコルに従う送信のためのＰＨＹデータユニットの第１プリアンブル部を生成するよう構成され、ここで、第１プリアンブル部は、ＰＨＹデータユニットが第１ＰＨＹモードに従って送信される場合に第１ＰＨＹモードに従ってフォーマットされ、第１プリアンブル部は、ＰＨＹデータユニットが第２ＰＨＹモードに従って送信される場合に第２ＰＨＹモードに従ってフォーマットされる。１つ又は複数の集積回路は、ＰＨＹデータユニットのＯＦＤＭ部を生成するようさらに構成され、ここで、ＯＦＤＭ部は、第１プリアンブル部に続き、１つ又は複数のロング・トレーニング・フィールドを含む第２プリアンブル部を有し、ＰＨＹデータユニットが第１ＰＨＹモードに従って送信される場合に第１クロックレートでクロックされ、ＰＨＹデータユニットが第２ＰＨＹモードに従って送信される場合に、第１クロックレートと異なる第２クロックレートでクロックされる。
【０２２７】
複数の他の実施形態において、装置は、以下の特徴のうちの１つ又は複数の任意の適した組み合せを含む。 
【０２２８】
１つ又は複数の集積回路は、ＰＨＹデータユニットが第１ＰＨＹモード又は第２ＰＨＹモードに従って生成されるかを示すべく、第１プリアンブル部のパイロットトーンのセットを生成するようさらに構成される。
【０２２９】
ＰＨＹデータユニットが第２ＰＨＹモードに従って送信される場合に、パイロットトーンのセットの少なくともいくつかのパイロットトーンの複数の信号は、第１ＰＨＹモードと比較して、フリップされる。
【０２３０】
１つ又は複数の集積回路は、ＰＨＹデータユニットが第１ＰＨＹモード又は第２ＰＨＹモードに従って生成されるかを示す情報を含むフィールドを有する第１プリアンブル部を生成するようさらに構成される。
【０２３１】
ＰＨＹデータユニットが第１ＰＨＹモード又は第２ＰＨＹモードに従って生成されるかを示す情報を含むフィールドは、１）第１プリアンブル部におけるレガシ部の後に、かつ、２）第１プリアンブル部におけるショート・トレーニング・フィールドの前に生じる信号フィールドである。
【０２３２】
第２クロックレートは、第１クロックレートより低い。
【０２３３】
第２クロックレートは、第１クロックレートの分数である。
【０２３４】
第２クロックレートは、第１クロックレートの１／４である。
【０２３５】
第２クロックレートは、第１クロックレートより速い。
【０２３６】
ＯＦＤＭ部が生成され、これにより、ＯＦＤＭ部における複数のＯＦＤＭシンボルは、ＰＨＹデータユニットが第１ＰＨＹモードに従って送信される場合に、第１持続時間を有し、ＯＦＤＭ部における複数のＯＦＤＭシンボルは、ＰＨＹデータユニットが第２ＰＨＹモードに従って送信される場合に、第２持続時間を有し、ここで、第２持続時間は、第１持続時間と異なる。
【０２３７】
第２持続時間は、第１持続時間より長い。
【０２３８】
ＯＦＤＭ部が生成され、これにより、ＯＦＤＭ部における複数のＯＦＤＭシンボルは、ＰＨＹデータユニットが第１ＰＨＹモードに従って送信される場合に、第１トーンインターバルを有し、ＯＦＤＭ部における複数のＯＦＤＭシンボルは、ＰＨＹデータユニットが第２ＰＨＹモードに従って送信される場合に、第２トーンインターバルを有し、ここで、第２トーンインターバルは、第１トーンインターバルと異なる。
【０２３９】
第２トーンインターバルは、第１トーンインターバルより小さい。
【０２４０】
別の実施形態において、方法が、無線通信チャネルを介して受信されたＰＨＹデータユニットを処理するものであり、ここで、ＰＨＹデータユニットは、第１ＰＨＹモードと第２ＰＨＹモードとを有する通信プロトコルに従ってフォーマットされる。方法は、ＰＨＹデータユニットのＯＦＤＭ部が、１）第１ＰＨＹモードに従う第１クロックレートでクロックされるか、又は第２ＰＨＹモードに従う第２クロックレートでクロックされるかを決定するべく、ＰＨＹデータユニットの第１プリアンブル部を分析する段階を備え、ここで、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に、第２ＰＨＹモードに従ってフォーマットされ、ＯＦＤＭ部は、第１プリアンブル部に続く。方法はまた、１）ＯＦＤＭ部が第１クロックレートでクロックされると決定された場合に、第１クロックレートに従って、２）ＯＦＤＭ部が第２クロックレートでクロックされると決定された場合に、第２クロックレートに従って、ＰＨＹデータユニットのＯＦＤＭ部を処理する段階であって、１つ又は複数のロング・トレーニング・フィールドを有する、ＯＦＤＭ部における第２プリアンブル部を処理する段階を含む段階を備える。
【０２４１】
複数の他の実施形態において、方法は、以下の特徴のうちの１つ又は複数の任意の適した組み合せを含む。
【０２４２】
第１プリアンブル部を分析する段階は、ＰＨＹデータユニットが、１）第１ＰＨＹモード、又は２）第２ＰＨＹモードに従って、フォーマットされるかを決定するべく、第１プリアンブル部におけるパイロットトーンのセットを分析する段階を含む。
【０２４３】
第１プリアンブル部を分析する段階は、少なくともいくつかのパイロットトーンの複数の信号が、１）第１ＰＨＹモード、又は２）第２ＰＨＹモードに対応してフリップされるかを決定するべく、パイロットトーンのセットの少なくともいくつかのパイロットトーンの複数の信号を分析する段階を含む。
【０２４４】
第１プリアンブル部を分析する段階は、第１プリアンブル部におけるフィールドを分析する段階を含み、ここで、フィールドは、ＰＨＹデータユニットが、１）第１ＰＨＹモード、又は２）第２ＰＨＹモードに従ってフォーマットされるかを示す情報を含む。
【０２４５】
ＰＨＹデータユニットが第１ＰＨＹモード、又は第２ＰＨＹモードに従ってフォーマットされるかを示す情報を含むフィールドは、１）第１プリアンブル部におけるレガシ部の後に、かつ、２）第１プリアンブル部におけるショート・トレーニング・フィールドの前に生じる信号フィールドである。
【０２４６】
第２クロックレートは、第１クロックレートより低い。
【０２４７】
第２クロックレートは、第１クロックレートの分数である。
【０２４８】
第２クロックレートは、第１クロックレートの１／４である。
【０２４９】
第２クロックレートは、第１クロックレートより速い。
【０２５０】
ＯＦＤＭ部における複数のＯＦＤＭシンボルは、ＰＨＹデータユニットが、第１ＰＨＹモードに従ってフォーマットされる場合に、第１持続時間を有し、ＯＦＤＭ部における複数のＯＦＤＭシンボルは、ＰＨＹデータユニットが第２ＰＨＹモードに従ってフォーマットされる場合に第２持続時間を有し、ここで、第２持続時間は、第１持続時間と異なる。
【０２５１】
第２持続時間は、第１持続時間より長い。
【０２５２】
ＯＦＤＭ部における複数のＯＦＤＭシンボルは、ＰＨＹデータユニットが第１ＰＨＹモードに従ってフォーマットされる場合に、第１トーンインターバルを有し、ＯＦＤＭ部における複数のＯＦＤＭシンボルは、ＰＨＹデータユニットが第２ＰＨＹモードに従ってフォーマットされる場合に、第２トーンインターバルを有し、ここで、第２トーンインターバルは第１トーンインターバルと異なる。
【０２５３】
第２トーンインターバルは、第１トーンインターバルより小さい。
【０２５４】
別の実施形態において、通信デバイスが、１つ又は複数の集積回路を有するネットワークインタフェースを備え、その１つ又は複数の集積回路は、第１クロックレートに従ってＰＨＹデータユニットの第１プリアンブル部を生成するよう構成され、ここで、ＰＨＹデータユニットは、無線通信プロトコルに従う送信のためであり、無線通信プロトコルは、第１ＰＨＹモードと第２ＰＨＹモードとを有し、第１プリアンブル部は、ＰＨＹデータユニットが第１ＰＨＹモードに従って送信される場合に、第１ＰＨＹモードに従ってフォーマットされ、第１プリアンブル部は、ＰＨＹデータユニットが第２ＰＨＹモードに従って送信される場合に第２ＰＨＹモードに従ってフォーマットされる。１つ又は複数の集積回路は、ＰＨＹデータユニットのＯＦＤＭ部を生成するようさら構成され、ここで、ＯＦＤＭ部は、第１プリアンブル部に続き、１つ又は複数のロング・トレーニング・フィールドを含む第２プリアンブル部を有し、ＰＨＹデータユニットが第１ＰＨＹモードに従って送信される場合に、第１クロックレートでクロックされ、ＰＨＹデータユニットが第２ＰＨＹモードに従って送信される場合に、第１クロックレートと異なる第２クロックレートでクロックされる。
【０２５５】
複数の他の実施形態において、装置は、以下の特徴のうちの１つ又は複数の任意の適した組み合せを含む。
【０２５６】
１つ又は複数の集積回路は、ＰＨＹデータユニットが、１）第１ＰＨＹモード、又は２）第２ＰＨＹモードに従ってフォーマットされるかを決定するべく、第１プリアンブル部におけるパイロットトーンのセットを分析するようさらに構成される。
【０２５７】
１つ又は複数の集積回路は、少なくともいくつかのパイロットトーンの複数の信号が、１）第１ＰＨＹモード、又は２）第２ＰＨＹモードに対応してフリップされるかを決定するべく、パイロットトーンのセットの少なくともいくつかのパイロットトーンの複数の信号を分析するようさらに構成される。
【０２５８】
１つ又は複数の集積回路は、第１プリアンブル部におけるフィールドを分析するようさらに構成され、ここで、フィールドは、ＰＨＹデータユニットが、１）第１ＰＨＹモード、又は２）第２ＰＨＹモードに従ってフォーマットされるかを示す情報を含む。
【０２５９】
ＰＨＹデータユニットが第１ＰＨＹモード、又は第２ＰＨＹモードに従ってフォーマットされるかを示す情報を含むフィールドは、１）第１プリアンブル部におけるレガシ部の後に、かつ、２）第１プリアンブル部におけるショート・トレーニング・フィールドの前に生じる信号フィールドである。
【０２６０】
第２クロックレートは、第１クロックレートより低い。
【０２６１】
第２クロックレートは、第１クロックレートの分数である。
【０２６２】
第２クロックレートは、第１クロックレートの１／４である。
【０２６３】
第２クロックレートは、第１クロックレートより速い。
【０２６４】
ＯＦＤＭ部における複数のＯＦＤＭシンボルは、ＰＨＹデータユニットが第１ＰＨＹモードに従ってフォーマットされる場合に、第１持続時間を有し、ＯＦＤＭ部における複数のＯＦＤＭシンボルは、ＰＨＹデータユニットが第２ＰＨＹモードに従ってフォーマットされる場合に、第２持続時間を有し、ここで、第２持続時間は、第１持続時間と異なる。
【０２６５】
第２持続時間は、第１持続時間より長い。
【０２６６】
ＯＦＤＭ部における複数のＯＦＤＭシンボルは、ＰＨＹデータユニットが第１ＰＨＹモードに従ってフォーマットされる場合に、第１トーンインターバルを有し、ＯＦＤＭ部における複数のＯＦＤＭシンボルは、ＰＨＹデータユニットが第２ＰＨＹモードに従ってフォーマットされる場合に、第２トーンインターバルを有し、ここで、第２トーンインターバルは、第１トーンインターバルと異なる。
【０２６７】
第２トーンインターバルは、第１トーンインターバルより小さい。
【０２６８】
上にて説明されている様々なブロック、動作、及び技術のうちの少なくともいくつかは、ハードウェア、複数のファームウェア命令を実行するプロセッサ、複数のソフトウェア命令を実行するプロセッサ、又はそれらの任意の組み合わせを利用して実装され得る。複数のソフトウェア又はファームウェア命令を実行するプロセッサを利用して実装された場合、複数のソフトウェア又はファームウェア命令は、磁気ディスク、光学ディスク、又は他の記憶媒体上、ＲＡＭ又はＲＯＭ若しくはフラッシュメモリ、プロセッサ、ハードディスクドライブ、光学ディスクドライブ、テープドライブなどにおいてなど、任意のコンピュータ可読メモリに格納され得る。同様に、複数のソフトウェア又はファームウェア命令は、例えば、コンピュータ可読ディスク又は他の可搬式コンピュータストレージ機構上、又は通信媒体を介すことを含む、任意の既知又は所望の配信方法を介して、ユーザ又はシステムに届けられ得る。通信媒体は、一般的には、複数のコンピュータ可読命令、データ構造、プロングラムモジュール、又は、搬送波又は他の搬送機構などの変調データ信号における他のデータを具現する。「変調データ信号」という用語は、信号における情報をエンコードするそのような方式で設定又は変更されるその特性のうち１つ又は複数を有する信号を意味する。例として、限定されるものではないが、通信媒体は、有線ネットワーク又は直接の有線接続などの有線媒体と、音響、無線周波数、赤外線、及び他の無線媒体などの無線媒体とを含む。よって、複数のソフトウェア又はファームウェア命令は、電話回線、ＤＳＬ回線、ケーブルテレビ回線、光ファイバ回線、無線通信チャネル、インターネットなどのような通信チャネル（これらは、可搬式の記憶媒体を介してそのようなソフトウェアを提供するものと同じ又は互換的なものとみなされる）を介して、ユーザ又はシステムに届けられ得る。複数のソフトウェア又はファームウェア命令は、プロセッサにより実行された場合に、プロセッサに様々な動作を実行させる機械可読命令を含んでよい。 
【０２６９】
ハードウェアに実装された場合、ハードウェアは、１つ又は複数のディスクリート部品、集積回路、特定用途向け集積回路（ＡＳＩＣ）などを含んでよい。
【０２７０】
本発明が単に例示的なもので本発明を限定するものではない複数の具体的な例に関連して説明されている一方、複数の変更、追加、及び／又は削除は、本発明の範囲から逸脱せずに、開示されている複数の実施形態に対して行われてよい。
本願によれば以下の各項目に記載の形態もまた開示される。
［項目１］
無線通信プロトコルに従う送信用の物理層データユニット（ＰＨＹデータユニット）を生成する方法であって、前記無線通信プロトコルは、第１ＰＨＹモードと第２ＰＨＹモードとを有し、前記方法は、
第１クロックレートに従って前記ＰＨＹデータユニットの第１プリアンブル部を生成する段階であって、前記第１プリアンブル部は、前記ＰＨＹデータユニットが前記第１ＰＨＹモードに従って送信される場合に、前記第１ＰＨＹモードに従ってフォーマットされ、前記第１プリアンブル部は、前記ＰＨＹデータユニットが前記第２ＰＨＹモードに従って送信される場合に、前記第２ＰＨＹモードに従ってフォーマットされる、段階と、
前記ＰＨＹデータユニットのＯＦＤＭ部を生成する段階であって、前記ＯＦＤＭ部は、前記第１プリアンブル部に続き、１つ又は複数のロング・トレーニング・フィールドを含む第２プリアンブル部を有し、前記ＰＨＹデータユニットが第１ＰＨＹモードに従って送信される場合に、前記第１クロックレートでクロックされ、前記ＰＨＹデータユニットが第２ＰＨＹモードに従って送信される場合に、前記第１クロックレートと異なる第２クロックレートでクロックされる、段階と
を備える
方法。
［項目２］
前記第１プリアンブル部を生成する段階は、前記ＰＨＹデータユニットが前記第１ＰＨＹモード又は前記第２ＰＨＹモードに従って生成されるかを示す前記第１プリアンブル部におけるパイロットトーンのセットを生成する段階を含む、項目１に記載の方法。
［項目３］
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、項目２に記載の方法。
［項目４］
前記第１プリアンブル部を生成する段階は、前記ＰＨＹデータユニットが前記第１ＰＨＹモード又は前記第２ＰＨＹモードに従って生成されるかを示す情報を含むフィールドを有する前記第１プリアンブル部を生成する段階を含む、項目１から３の何れか一項に記載の方法。
［項目５］
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、項目４に記載の方法。
［項目６］
前記第２クロックレートは、前記第１クロックレートより低い、項目１から５の何れか一項に記載の方法。
［項目７］
前記第２クロックレートは、前記第１クロックレートの分数である、項目６に記載の方法。
［項目８］
前記第２クロックレートは、前記第１クロックレートの１／４である、項目７に記載の方法。
［項目９］
前記第２クロックレートは、前記第１クロックレートより速い、項目１から５の何れか一項に記載の方法。
［項目１０］
前記ＯＦＤＭ部が生成され、これにより、前記ＰＨＹデータユニットが前記第１ＰＨＹモードに従って送信される場合に、前記ＯＦＤＭ部における複数のＯＦＤＭシンボルが第１持続時間を有し、前記ＰＨＹデータユニットが前記第２ＰＨＹモードに従って送信される場合に、前記ＯＦＤＭ部における複数のＯＦＤＭシンボルが第２持続時間を有し、前記第２持続時間は、前記第１持続時間と異なる、項目１から９の何れか一項に記載の方法。
［項目１１］
前記第２持続時間は、前記第１持続時間より長い、項目１０に記載の方法。
［項目１２］
前記ＯＦＤＭ部が生成され、これにより、前記ＰＨＹデータユニットが前記第１ＰＨＹモードに従って送信される場合に、前記ＯＦＤＭ部における複数のＯＦＤＭシンボルが第１トーンインターバルを有し、前記ＰＨＹデータユニットが前記第２ＰＨＹモードに従って送信される場合に、前記ＯＦＤＭ部における複数のＯＦＤＭシンボルが第２トーンインターバルを有し、前記第２トーンインターバルは、前記第１トーンインターバルと異なる、項目１から１１の何れか一項に記載の方法。
［項目１３］
前記第２トーンインターバルは、前記第１トーンインターバルより小さい、項目１２に記載の方法。
［項目１４］
１つ又は複数の集積回路を有するネットワークインタフェースを備える通信デバイスであって、
前記１つ又は複数の集積回路は、
第１クロックレートに従って、第１ＰＨＹモードと第２ＰＨＹモードとを有する無線通信プロトコルに従う送信用の物理層データユニット（ＰＨＹデータユニット）の第１プリアンブル部を生成し、
前記ＰＨＹデータユニットのＯＦＤＭ部を生成し、
前記第１プリアンブル部は、前記ＰＨＹデータユニットが前記第１ＰＨＹモードに従って送信される場合に、前記第１ＰＨＹモードに従ってフォーマットされ、
前記第１プリアンブル部は、前記ＰＨＹデータユニットが前記第２ＰＨＹモードに従って送信される場合に、前記第２ＰＨＹモードに従ってフォーマットされ、
前記ＯＦＤＭ部は、
前記第１プリアンブル部に続き、
１つ又は複数のロング・トレーニング・フィールドを含む第２プリアンブル部を有し、
前記ＰＨＹデータユニットが、第１ＰＨＹモードに従って送信される場合に、前記第１クロックレートでクロックされ、
前記ＰＨＹデータユニットが第２ＰＨＹモードに従って送信される場合に、前記第１クロックレートと異なる第２クロックレートでクロックされる、
通信デバイス。
［項目１５］
前記１つ又は複数の集積回路は、前記ＰＨＹデータユニットが前記第１ＰＨＹモード又は前記第２ＰＨＹモードに従って生成されるかを示す、前記第１プリアンブル部におけるパイロットトーンのセットを生成する、項目１４に記載の通信デバイス。
［項目１６］
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、項目１５に記載の通信デバイス。
［項目１７］
前記１つ又は複数の集積回路は、前記ＰＨＹデータユニットが前記第１ＰＨＹモード又は前記第２ＰＨＹモードに従って生成されるかを示す情報を含むフィールドを有する前記第１プリアンブル部を生成する、項目１４から１６の何れか一項に記載の通信デバイス。
［項目１８］
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、項目１７に記載の通信デバイス。
［項目１９］
前記第２クロックレートは、前記第１クロックレートより低い、項目１４から１８の何れか一項に記載の通信デバイス。
［項目２０］
前記第２クロックレートは、前記第１クロックレートの分数である、項目１９に記載の通信デバイス。
［項目２１］
前記第２クロックレートは、前記第１クロックレートの１／４である、項目２０に記載の通信デバイス。
［項目２２］
前記第２クロックレートは、前記第１クロックレートより速い、項目１４から１９の何れか一項に記載の通信デバイス。
［項目２３］
前記１つ又は複数の集積回路は、前記ＯＦＤＭ部を生成し、これにより、前記ＰＨＹデータユニットが前記第１ＰＨＹモードに従って送信される場合に、前記ＯＦＤＭ部における複数のＯＦＤＭシンボルが第１持続時間を有し、前記ＰＨＹデータユニットが前記第２ＰＨＹモードに従って送信される場合に、前記ＯＦＤＭ部における複数のＯＦＤＭシンボルが第２持続時間を有し、前記第２持続時間は、前記第１持続時間と異なる、項目１４から２２の何れか一項に記載の通信デバイス。
［項目２４］
前記第２持続時間は、前記第１持続時間より長い、項目２３に記載の通信デバイス。
［項目２５］
前記１つ又は複数の集積回路は、前記ＯＦＤＭ部を生成し、これにより、前記ＰＨＹデータユニットが前記第１ＰＨＹモードに従って送信される場合に、前記ＯＦＤＭ部における複数のＯＦＤＭシンボルが第１トーンインターバルを有し、前記ＰＨＹデータユニットが前記第２ＰＨＹモードに従って送信される場合に、前記ＯＦＤＭ部における複数のＯＦＤＭシンボルが第２トーンインターバルを有し、前記第２トーンインターバルは、前記第１トーンインターバルと異なる、項目１４から２４の何れか一項に記載の通信デバイス。
［項目２６］
前記第２トーンインターバルは、前記第１トーンインターバルより小さい、項目２５に記載の通信デバイス。
【図１】
0006478131.tif 000002
【図２】
0006478131.tif 000003
【図３】
0006478131.tif 000004
【図４】
0006478131.tif 000005
【図５】
0006478131.tif 000006
【図６】
0006478131.tif 000007
【図７】
0006478131.tif 000008
【図８】
0006478131.tif 000009
【図９】
0006478131.tif 000010
【図１０】
0006478131.tif 000011
【図１１】
0006478131.tif 000012
【図１２】
0006478131.tif 000013
【図１３】
0006478131.tif 000014
【図１４】
0006478131.tif 000015
【図１５】
0006478131.tif 000016
【図１６】
0006478131.tif 000017
【図１７】
0006478131.tif 000018
【図１８】
0006478131.tif 000019
【図１９】
0006478131.tif 000020
【図２０】
0006478131.tif 000021
【図２１】
0006478131.tif 000022
【図２２】
0006478131.tif 000023
【図２３】
0006478131.tif 000024
【図２４】
0006478131.tif 000025
【図２５】
0006478131.tif 000026
【図２６】
0006478131.tif 000027
【図２７】
0006478131.tif 000028
【図２８】
0006478131.tif 000029